(57)【要約】【課題】２重音声のみ又は２重音声とステレオ音声とからなる圧縮音声データを含むＶＲ規格のＡＶストリームをビデオ規格のＡＶストリームへ高速に変換する。【解決手段】圧縮音声データ抽出部２１３と入力音声判定部２１６とで入力ＡＶストリームから２重音声の音声データを抽出して、２重音声選択部２１５で予め設定した音声選択方法に従い、抽出した音声データの主音声データと副音声データのいずれかを選択し、選択した同じ音声データを主及び副音声データの両方に圧縮音声データ変換部２１４で設定し、ステレオ音声の圧縮音声データに変換した後、ＲＤＩヘッダをＮＶヘッダにＲＤＩ→ＮＶ変換部２１２で変換し、管理情報を付加してデータ記録媒体に記録する。２重音声選択部２１５は予め定めた標準的な方法以外にユーザが設定した任意の方法を選択でき、音声データの変換には、インテンシティステレオ符号化及び／又は和差ステレオ符号化を適用可能である。【選択図】図２
2006121213.tif 000002
【特許請求の範囲】
【請求項１】
２重音声の圧縮音声データを含むデータを入力して２重音声の圧縮音声データを変換するデータ変換部と、該データ変換部から出力されたデータをデータ記録媒体に記録する記録媒体記録部とを備えたデータ変換装置であって、前記データ変換部に入力された２重音声の圧縮音声データを構成する主音声と副音声とのうちいずれかの音声を選択する２重音声選択部を備え、前記データ変換部が、前記２重音声選択部の選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とするデータ変換装置。
【請求項２】
２重音声とステレオ音声との圧縮音声データを混在して含むデータを入力して２重音声の圧縮音声データを変換するデータ変換部と、該データ変換部から出力されたデータをデータ記録媒体に記録する記録媒体記録部とを備えたデータ変換装置であって、前記データ変換部に入力された圧縮音声データの中から、２重音声とステレオ音声とを判別する入力音声判別部と、該入力音声判別部により判別された２重音声の圧縮音声データを構成する主音声と副音声とのうちいずれかの音声を選択する２重音声選択部とを備え、前記データ変換部が、前記入力音声判別部においてステレオ音声と判別された圧縮音声データは、データ変換せずにそのまま出力し、前記入力音声判別部において２重音声と判別された圧縮音声データは、前記２重音声選択部の選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とするデータ変換装置。
【請求項３】
請求項１又は２に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報としても用いる、インテンシティステレオ符号化を適用することを特徴とするデータ変換装置。
【請求項４】
請求項３に記載のデータ変換装置であって、前記データ変換部において左右両チャンネルに共通の音声波形情報を用いてステレオ音声の圧縮音声データとして変換する際に、前記インテンシティステレオ符号化を適用する周波数帯域を示すインテンシティステレオ範囲を、予め定めた仕様あるいは規格上取り得る限界となる最大値に設定することを特徴とするデータ変換装置。
【請求項５】
請求項１又は２に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形を、選択された音声の音声波形同士の和となる２倍の音声波形と、選択された音声の音声波形同士の差となる零の音声波形と、をそれぞれのチャンネルの音声の音声波形として用いる、和差ステレオ符号化を適用することを特徴とするデータ変換装置。
【請求項６】
請求項５に記載のデータ変換装置であって、前記データ変換部において左右両チャンネルに前記音声波形の和と差とを用いてステレオ音声の圧縮音声データとして変換する際に、前記和差ステレオ符号化を適用する周波数帯域を示す和差ステレオ範囲を、予め定めた仕様あるいは規格上取り得る限界となる最大値に設定することを特徴とするデータ変換装置。
【請求項７】
請求項１又は２に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報にも用いる、インテンシティステレオ符号化と、選択された音声の音声波形を、選択された音声の音声波形同士の和となる２倍の音声波形と、選択された音声データの音声波形同士の差となる零の音声波形と、を左右それぞれのチャンネルの音声の音声波形として用いる、和差ステレオ符号化とのいずれかを、予め定めた設定値に基づいて、適用することを特徴とするデータ変換装置。
【請求項８】
請求項７に記載のデータ変換装置であって、前記データ変換部において左右両チャンネルに共通の音声波形情報を用いてステレオ音声の圧縮音声データとして変換する際における前記インテンシティステレオ符号化を適用する周波数帯域を示すインテンシティステレオ範囲、及び／又は、前記データ変換部において左右両チャンネルに前記音声波形の和と差とを用いてステレオ音声の圧縮音声データとして変換する際における前記和差ステレオ符号化を適用する周波数帯域を示す和差ステレオ範囲を、予め定めた仕様あるいは規格上取り得る限界となる最大値に設定することを特徴とするデータ変換装置。
【請求項９】
請求項１乃至８のいずれかに記載のデータ変換装置であって、前記データ変換部に入力される圧縮音声データのデータ形式が、圧縮音声データの他に、該圧縮音声データの種別を含む音声識別情報を構成するヘッダ情報が含まれるデータストリームの形式で入力されるものであり、前記データ変換部において圧縮音声データを２重音声データからステレオ音声データに変換する際に、前記データストリームに含まれる前記ヘッダ情報の前記音声識別情報を２重音声からステレオ音声を示す情報に変更して設定することを特徴とするデータ変換装置。
【請求項１０】
請求項９に記載のデータ変換装置であって、前記データ変換部において変換されたステレオ音声の圧縮音声データのデータ領域が、変換前の２重音声の圧縮音声データの圧縮データ量と同一のデータ量であることを特徴とするデータ変換装置。
【請求項１１】
請求項１０に記載のデータ変換装置であって、前記データストリームの形式が、ＩＳＯ／ＩＥＣ１３８１８−３規格に規定されたＭＰＥＧ２  ＡＵＤＩＯに準拠することを特徴とするデータ変換装置。
【請求項１２】
請求項１１に記載のデータ変換装置であって、前記データ変換部において変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、補助データを設定することが可能なアンシラリ領域として確保することを特徴とするデータ変換装置。
【請求項１３】
請求項９に記載のデータ変換装置であって、前記データストリームの形式が、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）ｓｔａｎｄａｒｄで規定されたＤｉｇｉｔａｌ  Ａｕｄｉｏ  Ｃｏｍｐｒｅｓｓｉｏｎ  Ｓｔａｎｄａｒｄ（ＡＣ３：Ａｕｄｉｏ  Ｃｏｄｅ  ｎｕｍｂｅｒ  ３）であることを特徴とするデータ変換装置。
【請求項１４】
請求項１３に記載のデータ変換装置であって、前記データ変換部において変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、パディングデータからなるスキップデータ領域として割り付けることを特徴とするデータ変換装置。
【請求項１５】
請求項１乃至１４のいずれかに記載のデータ変換装置であって、前記データストリームの形式が、ＩＳＯ／ＩＥＣ１３８１８−１規格に規定されたＭＰＥＧ２  ＳＹＳＴＥＭにしたがうことを特徴とするデータ変換装置。
【請求項１６】
請求項１乃至１４のいずれかに記載のデータ変換装置であって、前記記録媒体記録部が前記データ変換部から出力されたデータをデータ記録媒体に記録する際に、圧縮音声データの他に、該圧縮音声データを管理するための管理情報を付加して記録するものであり、前記データ変換部において圧縮音声データを２重音声データからステレオ音声データに変換した場合、前記管理情報に該圧縮音声データがステレオ音声である旨を設定することを特徴とするデータ変換装置。
【請求項１７】
請求項１５又は１６に記載のデータ変換装置であって、前記データ変換部に入力されるデータ形式が、ＤＶＤのＶＲ（Ｖｉｄｅｏ  Ｒｅｃｏｒｄｉｎｇ）規格に規定された形式であり、前記データ変換部から出力されて、前記記録媒体記録部がデータ記録媒体に記録するデータ形式が、ＤＶＤのビデオ規格及び／又はＤＶＤのＶＲ規格に規定された形式であることを特徴とするデータ変換装置。
【請求項１８】
請求項１乃至１７のいずれかに記載のデータ変換装置であって、前記２重音声選択部が、デフォルト状態として予め設定された標準的な音声の選択方法に基づいて、２重音声の圧縮音声データを構成する主音声と副音声とのうちいずれかの音声を選択することを特徴とするデータ変換装置。
【請求項１９】
請求項１８に記載のデータ変換装置であって、前記２重音声選択部がデフォルト状態として予め設定された標準的な音声の選択方法として、標準的な等速ダビングにおける音声の選択方法として予め設定されている選択方法を用いることを特徴とするデータ変換装置。
【請求項２０】
請求項１８又は１９に記載のデータ変換装置であって、前記２重音声選択部がデフォルト状態として予め設定された標準的な音声の選択方法として、標準的な高速ダビングにおける音声の選択方法として予め設定されている選択方法を用いることを特徴とするデータ変換装置。
【請求項２１】
請求項１８乃至２０のいずれかに記載のデータ変換装置であって、前記２重音声選択部がデフォルト状態として予め設定された標準的な音声の選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの記録方法として主音声、副音声のいずれを記録するかに関して予め設定されている選択方法を用いることを特徴とするデータ変換装置。
【請求項２２】
請求項１８乃至２１のいずれかに記載のデータ変換装置であって、前記２重音声選択部がデフォルト状態として予め設定された標準的な音声の選択方法として、ＡＶ（Ａｕｄｉｏ−Ｖｉｄｅｏ）ストリームに含まれている音声ストリームが２重音声の場合に音声を再生する際の標準的なＡＶストリームの再生方法として主音声、副音声のいずれを再生するかに関して予め設定されている選択方法を用いることを特徴とするデータ変換装置。
【請求項２３】
請求項１８乃至２２のいずれかに記載のデータ変換装置であって、前記２重音声選択部が、デフォルト状態として予め設定された標準的な音声の選択方法を用いる代わりに、ユーザが任意に設定した音声の選択方法を用いることができることを特徴とするデータ変換装置。
【請求項２４】
２重音声の圧縮音声データを含むデータを入力して２重音声の圧縮音声データを変換するデータ変換ステップと、該データ変換ステップから出力されたデータをデータ記録媒体に記録する記録媒体記録ステップとを有するデータ変換方法であって、前記データ変換ステップに入力された２重音声の圧縮音声データを構成する主音声と副音声とのうちいずれかの音声を選択する２重音声選択ステップを有し、前記データ変換ステップが、前記２重音声選択ステップの選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とするデータ変換方法。
【請求項２５】
２重音声とステレオ音声との圧縮音声データを混在して含むデータを入力して２重音声の圧縮音声データを変換するデータ変換ステップと、該データ変換ステップから出力されたデータをデータ記録媒体に記録する記録媒体記録ステップとを有するデータ変換方法であって、前記データ変換ステップに入力された圧縮音声データの中から、２重音声とステレオ音声とを判別する入力音声判別ステップと、該入力音声判別ステップにより判別された２重音声の圧縮音声データを構成する主音声と副音声とのうちいずれかの音声を選択する２重音声選択ステップとを有し、前記データ変換ステップが、前記入力音声判別ステップにおいてステレオ音声と判別された圧縮音声データは、データ変換せずにそのまま出力し、前記入力音声判別ステップにおいて２重音声と判別された圧縮音声データは、前記２重音声選択ステップの選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とするデータ変換方法。
【請求項２６】
請求項２４又は２５に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報としても用いる、インテンシティステレオ符号化を適用することを特徴とするデータ変換方法。
【請求項２７】
請求項２６に記載のデータ変換方法であって、前記データ変換ステップにおいて左右両チャンネルに共通の音声波形情報を用いてステレオ音声の圧縮音声データとして変換する際に、前記インテンシティステレオ符号化を適用する周波数帯域を示すインテンシティステレオ範囲を、予め定めた仕様あるいは規格上取り得る限界となる最大値に設定することを特徴とするデータ変換方法。
【請求項２８】
請求項２４又は２５に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化を適用することを特徴とするデータ変換方法。
【請求項２９】
請求項２８に記載のデータ変換方法であって、前記データ変換ステップにおいて左右両チャンネルに前記音声波形の和と差とを用いてステレオ音声の圧縮音声データとして変換する際に、前記和差ステレオ符号化を適用する周波数帯域を示す和差ステレオ範囲を、予め定めた仕様あるいは規格上取り得る限界となる最大値に設定することを特徴とするデータ変換方法。
【請求項３０】
請求項２４又は請求項２５に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報にも用いる、インテンシティステレオ符号化と、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化とのいずれかを、予め定めた設定値に基づいて、適用することを特徴とするデータ変換方法。
【請求項３１】
請求項３０に記載のデータ変換方法であって、前記データ変換ステップにおいて左右両チャンネルに共通の音声波形情報を用いてステレオ音声の圧縮音声データとして変換する際における前記インテンシティステレオ符号化を適用する周波数帯域を示すインテンシティステレオ範囲、及び／又は、前記データ変換ステップにおいて左右両チャンネルに前記音声波形の和と差とを用いてステレオ音声の圧縮音声データとして変換する際における前記和差ステレオ符号化を適用する周波数帯域を示す和差ステレオ範囲を、予め定めた仕様あるいは規格上取り得る限界となる最大値に設定することを特徴とするデータ変換方法。
【請求項３２】
請求項２４乃至３１のいずれかに記載のデータ変換方法であって、前記データ変換ステップに入力される圧縮音声データのデータ形式が、圧縮音声データの他に、該圧縮音声データの種別を含む音声識別情報を構成するヘッダ情報が含まれるデータストリームの形式で入力されるものであり、前記データ変換ステップにおいて圧縮音声データを２重音声データからステレオ音声データに変換する際に、前記データストリームに含まれる前記ヘッダ情報の前記音声識別情報を２重音声からステレオ音声を示す情報に変更して設定することを特徴とするデータ変換方法。
【請求項３３】
請求項３２に記載のデータ変換方法であって、前記データ変換ステップにおいて変換されたステレオ音声の圧縮音声データのデータ領域が、変換前の２重音声の圧縮音声データの圧縮データ量と同一のデータ量であることを特徴とするデータ変換方法。
【請求項３４】
請求項３３に記載のデータ変換方法であって、前記データストリームの形式が、ＩＳＯ／ＩＥＣ１３８１８−３規格に規定されたＭＰＥＧ２  ＡＵＤＩＯに準拠することを特徴とするデータ変換方法。
【請求項３５】
請求項３４に記載のデータ変換方法であって、前記データ変換ステップにおいて変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、補助データを設定することが可能なアンシラリ領域として確保することを特徴とするデータ変換方法。
【請求項３６】
請求項３２に記載のデータ変換方法であって、前記データストリームの形式が、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）ｓｔａｎｄａｒｄで規定されたＤｉｇｉｔａｌ  Ａｕｄｉｏ  Ｃｏｍｐｒｅｓｓｉｏｎ  Ｓｔａｎｄａｒｄ（ＡＣ３：Ａｕｄｉｏ  Ｃｏｄｅ  ｎｕｍｂｅｒ  ３）であることを特徴とするデータ変換方法。
【請求項３７】
請求項３６に記載のデータ変換方法であって、前記データ変換ステップにおいて変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、パディングデータからなるスキップデータ領域として割り付けることを特徴とするデータ変換方法。
【請求項３８】
請求項２４乃至３７のいずれかに記載のデータ変換方法であって、前記データストリームの形式が、ＩＳＯ／ＩＥＣ１３８１８−１規格に規定されたＭＰＥＧ２  ＳＹＳＴＥＭにしたがうことを特徴とするデータ変換方法。
【請求項３９】
請求項２４乃至３７のいずれかに記載のデータ変換方法であって、前記記録媒体記録ステップが前記データ変換ステップから出力されたデータをデータ記録媒体に記録する際に、圧縮音声データの他に、該圧縮音声データを管理するための管理情報を付加して記録するものであり、前記データ変換ステップにおいて圧縮音声データを２重音声データからステレオ音声データに変換した場合、前記管理情報に該圧縮音声データがステレオ音声である旨を設定することを特徴とするデータ変換方法。
【請求項４０】
請求項３８又は３９に記載のデータ変換方法であって、前記データ変換ステップに入力されるデータ形式が、ＤＶＤのＶＲ（Ｖｉｄｅｏ  Ｒｅｃｏｒｄｉｎｇ）規格に規定された形式であり、前記データ変換ステップから出力されて、前記記録媒体記録ステップがデータ記録媒体に記録するデータ形式が、ＤＶＤのビデオ規格及び／又はＤＶＤのＶＲ規格に規定された形式であることを特徴とするデータ変換方法。
【請求項４１】
請求項２４乃至４０のいずれかに記載のデータ変換方法であって、前記２重音声選択ステップが、デフォルト状態として予め設定された標準的な音声の選択方法に基づいて、２重音声の圧縮音声データを構成する主音声と副音声とのうちいずれかの音声を選択することを特徴とするデータ変換方法。
【請求項４２】
請求項４１に記載のデータ変換方法であって、前記２重音声選択ステップがデフォルト状態として予め設定された標準的な音声の選択方法として、標準的な等速ダビングにおける音声の選択方法として予め設定されている選択方法を用いることを特徴とするデータ変換方法。
【請求項４３】
請求項４１又は４２に記載のデータ変換方法であって、前記２重音声選択ステップがデフォルト状態として予め設定された標準的な音声の選択方法として、標準的な高速ダビングにおける音声の選択方法として予め設定されている選択方法を用いることを特徴とするデータ変換方法。
【請求項４４】
請求項４１乃至４３のいずれかに記載のデータ変換方法であって、前記２重音声選択ステップがデフォルト状態として予め設定された標準的な音声の選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの記録方法として主音声、副音声のいずれを記録するかに関して予め設定されている選択方法を用いることを特徴とするデータ変換方法。
【請求項４５】
請求項４１乃至４４のいずれかに記載のデータ変換方法であって、前記２重音声選択ステップがデフォルト状態として予め設定された標準的な音声の選択方法として、ＡＶ（Ａｕｄｉｏ−Ｖｉｄｅｏ）ストリームに含まれている音声ストリームが２重音声の場合に音声を再生する際の標準的なＡＶストリームの再生方法として主音声、副音声のいずれを再生するかに関して予め設定されている選択方法を用いることを特徴とするデータ変換方法。
【請求項４６】
請求項４１乃至４５のいずれかに記載のデータ変換方法であって、前記２重音声選択ステップが、デフォルト状態として予め設定された標準的な音声の選択方法を用いる代わりに、ユーザが任意に設定した音声の選択方法を用いることができることを特徴とするデータ変換方法。
【請求項４７】
請求項２４乃至４６のいずれかに記載のデータ変換方法を、コンピュータにより実行可能なプログラムとして実施することを特徴とするデータ変換プログラム。
【請求項４８】
請求項４７に記載のデータ変換プログラムをコンピュータにより読み取り可能な記録媒体に記録したことを特徴とするプログラム記録媒体。
【発明の詳細な説明】
【技術分野】
【０００１】
本発明は、データ変換装置、データ変換方法、データ変換プログラム及びプログラム記録媒体の技術分野に属する。より具体的には、音楽、音声や動画などの情報を、ＤＶＤ、ＣＤ、ＨＤＤに代表される記録可能なデータ記録媒体に記録したものを、別のデータ記録媒体あるいは同じデータ記録媒体へデータ形式を変換してダビングする、データ変換装置、データ変換方法、データ変換プログラム及びプログラム記録媒体の技術分野に属する。
【背景技術】
【０００２】
近年、技術進歩により、データ記録媒体の記録容量の増加、低価格化に従い、音楽、音声や動画などのＡＶ（Ａｕｄｉｏ−Ｖｉｄｅｏ）情報を、デジタル化して高品質に記録・再生することが可能な大容量のデータ記録再生機器、データ記録媒体が、安価に提供されるようになってきた。特に、これらＡＶ情報を、ＶＴＲの代わりに、ＣＤ、ＤＶＤやＨＤＤへデジタル化ＡＶデータ（Ａｕｄｉｏ−Ｖｉｄｅｏ  Ｄａｔａ）として記録するデータ記録再生機器が普及しつつあり、最近では、記録容量の更なる増加を狙い、ブルーレイディスク（Ｂｌｕ−ｒａｙ  Ｄｉｓｃ）やＨＤ−ＤＶＤ（Ｈｉｇｈ  Ｄｉｆｉｎｉｔｉｏｎ  ＤＶＤ）などが開発されている。
【０００３】
このようなＡＶ情報をデジタル化してＡＶデータとして記録・再生する場合の記録フォーマットについて、データ記録媒体として例えばＤＶＤディスクの場合を例にとって説明する。ＤＶＤディスクの場合、当初、再生専用のＤＶＤ−ＲＯＭとして開発されたため、１枚のＤＶＤディスクに記録すべきＡＶ情報をデジタル化したＡＶデータを全て準備できた後に、ＤＶＤディスクに一括して記録する記録フォーマット（以下、ビデオ規格と略称）が規格化され、利用されている。
【０００４】
その後、ＡＶ情報をデジタル化したＡＶデータを一回のみ記録可能なＤＶＤディスク（ＤＶＤ±Ｒ、ＤＶＤ＋Ｒ  ＤＬ等）や、追記又は書き換えが可能で、リアルタイムに逐次記録することが可能なＤＶＤディスク（ＤＶＤ±ＲＷ、ＤＶＤ−ＲＡＭ等）やＤＶＤ記録再生機器が開発され、リアルタイムにＤＶＤディスクに逐次記録する記録フォーマット（以下、ＶＲ（Ｖｉｄｅｏ  Ｒｅｃｏｒｄｉｎｇ）規格と略称）が、前述のビデオ規格の記録フォーマットとは異なるフォーマットとして別個に規格化された。
【０００５】
ここで、ＡＶ情報をＤＶＤディスクに記録・再生する利用者の利便性を考えた場合、ＤＶＤ記録再生機において、ビデオ規格に従った記録フォーマットでＤＶＤディスクに記録して、先行して大量に市場に普及している再生専用のＤＶＤ再生機を用いてＤＶＤディスクのＡＶ情報（即ちデジタル化したＡＶデータ）を再生可能とすることが望ましい。このため、記録媒体に記録されたＶＲ規格のＡＶデータをビデオ規格に従った記録フォーマットに変換してＤＶＤディスクに記録することが望まれる。ＶＲ規格からビデオ規格の記録フォーマットへの変換方法としては、大きく分けて次の２種類の変換方法が提案されている。
【０００６】
一つは、等速ダビング法であり、ＶＲ規格のＡＶデータをデコードして、一旦アナログ信号の画像、音声のＡＶ情報を再生した後、再生したＡＶ情報を再びデジタル化して、ビデオ規格に従ったＡＶデータに変換する方法である。
もう一つは、高速ダビング法であり、ＶＲ規格のＡＶデータをデコードすることなく、デジタル化したＡＶデータのまま、ＶＲ規格からビデオ規格へ高速に変換する方法である。
【０００７】
デコード処理を伴わない後者の高速ダビング法は、デコード処理を伴う前者の等速ダビング法に比較して、変換時間が少なくても済む、デコード処理及び再デジタル化処理に伴う品質劣化が無いなどの利点がある一方、次に示すような問題も有している。
【０００８】
ＶＲ規格からビデオ規格へのＡＶデータの高速ダビング法においては、まず、ＶＲ規格としてのリアルタイム情報を記録しているＲＤＩパック（Ｒｅａｌ−Ｔｉｍｅ  Ｄａｔａ  Ｉｎｆｏｒｍａｔｉｏｎ  Ｐａｃｋ）を、ビデオ規格としての再生用ナビゲーション情報を記録しているＮＶパック（Ｎａｖｉｇａｔｉｏｎ  Ｐａｃｋ）へ変換する必要がある。ここに、ＲＤＩパックには、後続するＡＶデータの再生開始時刻・再生終了時刻、画像表示用アスペクト比情報、サブタイトル情報の有無、素材モード情報、著作権管理情報などが含まれており、一方、ＮＶパックには、後続するＡＶデータの再生開始時刻毎の参照アドレス、前後のＮＶパックの参照アドレス、画像表示用の制御情報などが含まれている。ＲＤＩパックをＮＶパックへ変換する方法については、既に公知であるので、詳細な説明は省略する。
【０００９】
以下には、ＶＲ規格とビデオ規格との論理的な記録フォーマットについて図面を参照しながら更に説明する。
まず、ビデオ規格におけるＡＶデータの論理フォーマットについて、非特許文献１に示す「ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．０，Ｊｕｌｙ  １９９７」、及び、非特許文献２に示す「ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．１，Ｄｅｃｅｍｂｅｒ  １９９７」にて規格化されたＤＶＤビデオ規格の論理フォーマットを、図８を用いて説明する。図８は、ＤＶＤビデオ規格及びＤＶＤ  ＶＲ規格として規格化されたビデオタイトルの論理フォーマットを示す構成図である。
【００１０】
図８の構成図において、１つのビデオタイトルを示すＶＴＳ（Ｖｉｄｅｏ  Ｔｉｔｌｅ  Ｓｅｔ：ビデオタイトルセット）４０には、音声・画像・テキストなどの各種情報が含まれており、１つ以上のＶＯＢ（Ｖｉｄｅｏ  Ｏｂｊｅｃｔ：ビデオ・オブジェクト）４１からなるＶＯＢＳ構造として構成されている。また、１つのＶＯＢ４１は、複数のセルから構成されるが、本説明では、説明を簡素化するため、ＶＯＢ４１とセルとが一致するものとして説明する。
【００１１】
ここで、ＶＯＢ４１以下の構造が、ビデオ規格のＡＶストリーム即ちＡＶデータのフォーマットを示している。１つのＶＯＢ４１は、１つ以上のＶＯＢＵ（Ｖｉｄｅｏ  Ｏｂｊｅｃｔ  Ｕｎｉｔ：ビデオ・オブジェクト・ユニット）４２からなるＶＯＢ構造として構成されている。１つのＶＯＢＵ４２は、整数個のＧＯＰ（Ｇｒｏｕｐ  Ｏｆ  Ｐｉｃｔｕｒｅ：グループ・オブ・ピクチャ）から成り立っていると共に、２ｋＢｙｔｅ単位に、ナビゲーション情報が記録されたＮＶパック（Ｎａｖｉｇａｔｉｏｎ  Ｐａｃｋ：ナビゲーションパック）４３、ビデオデータ即ち映像データが記録されたＶパック（Ｖｉｄｅｏ  Ｐａｃｋ：ビデオパック）４４、オーディオデータ即ち音声データが記録されたＡパック（Ａｕｄｉｏ  Ｐａｃｋ：オーディオパック）４５、サブピクチャデータが記録されたサブピクチャパック（図示していない）からなるＶＯＢＵ構造として構成されている。
【００１２】
次に、ＶＲ規格におけるＡＶデータの論理フォーマットについて、非特許文献３に示す「ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ３  ＶＩＤＥＯ  ＲＥＣＯＲＤＩＮＧ  Ｖｅｒｓｉｏｎ  １．１，Ｓｅｐｔｅｍｂｅｒ  ２０００」にて規格化されたＤＶＤ  ＶＲ規格の論理フォーマットを、図８を用いて説明する。図８は、前述したように、ＤＶＤビデオ規格及びＤＶＤ  ＶＲ規格として規格化されたビデオタイトルの論理フォーマットを示す構成図である。
【００１３】
図８の構成図に示すように、ＶＲ規格のＡＶストリーム即ちＡＶデータのファーマットは、ビデオ規格とほぼ同一であり、１つのビデオタイトルを示すＶＴＳ４０には、音声・画像・テキストなどの各種情報が含まれており、１つ以上のＶＯＢ４１からなるＶＯＢＳ構造として構成され、１つのＶＯＢ４１は、複数のセルから構成されるが、図８には、ＶＯＢ４１とセルとが一致するものとして説明している。
【００１４】
更に、ＶＲ規格の場合、ビデオ規格と同様に、１つのＶＯＢ４１は、１つ以上のＶＯＢＵ４２からなるＶＯＢ構造として構成され、１つのＶＯＢＵ４２は、整数個のＧＯＰから成り立っていると共に、２ｋＢｙｔｅ単位に、リアルタイム情報が記録されたＲＤＩパック（Ｒｅａｌ−ｔｉｍｅ  Ｄａｔａ  Ｉｎｆｏｍａｔｉｏｎ：実時間データパック）４６、ビデオデータ即ち映像データが記録されたＶパック４４、オーディオデータ即ち音声データが記録されたＡパック４５、サブピクチャデータが記録されたサブピクチャパック（図示していない）からなるＶＯＢＵ構造として構成されている。
【００１５】
次に、図８に示すビデオ規格とＶＲ規格とのＡパック（オーディオパック）４５の論理フォーマットについて、図９を用いて更に説明する。図９は、ＤＶＤビデオ規格及びＤＶＤ  ＶＲ規格として規格化されたオーディオパックの論理フォーマットを示す構成図であり、図８に示すＡパック４５の一つを取り出して、その論理フォーマットを示している。図９に示すように、ビデオ規格とＶＲ規格とのＡパックの基本構成は、全く同一のフォーマットとされており、いずれの規格においても、Ａパック４５は、パックヘッダ４５ａ、パケットヘッダ４５ｂ、オーディオデータ４５ｃの順に構成されている。なお、パケットヘッダ４５ｂは、後続するオーディオデータ４５ｃの種別などの音声識別情報を示すヘッダ情報を設定する領域であり、本説明において必要となる主な構成要素のみを示している。
【００１６】
パックヘッダ４５ａには、先頭にパックの始まりを示す固定値からなるパックスタートコード４５１ａと、次に、ＳＣＲ（Ｓｙｓｔｅｍ  Ｃｌｏｃｋ  Ｒｅｆｅｒｅｎｃｅ：システムクロックリファレンス）４５２ａとが記録されている。このＳＣＲ４５２ａは、データ記録再生装置内のシステムクロックと比較され、その比較結果は、データ記録再生装置内でＡＶストリーム内のオーディオデータをパック単位で取り扱う場合のタイミング情報として用いられる。
【００１７】
パックヘッダ４５ａの次に位置するパケットヘッダ４５ｂの先頭には、パケットの始まりを示す固定値からなるパケットスタートコード４５１ｂが記録されている。パケットスタートコード４５１ｂに続いて、オーディオデータ４５ｃ即ち音声ストリームの識別情報であることを示すストリームＩＤ４５２ｂが記録されている。なお、オーディオデータ４５ｃ即ち音声ストリームがＭＰＥＧの圧縮音声形式である場合には、ＭＰＥＧ音声ストリーム間の違いを識別するために、このストリームＩＤ４５２ｂを用いる。
【００１８】
しかし、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）ｓｔａｎｄａｒｄ（規格）Ａ／５２でＤｉｇｉｔａｌ  Ａｕｄｉｏ  Ｃｏｍｐｒｅｓｓｉｏｎ  Ｓｔａｎｄａｒｄとして制定された音声圧縮方式であるＡＣ３（Ａｕｄｉｏ  Ｃｏｄｅ  ｎｕｍｂｅｒ  ３）規格準拠の圧縮音声ストリームの場合には、このストリームＩＤ４５２ｂはプライベートストリームとして記述し、ＡＣ３のストリーム間の違いを識別するためには、後述するサブストリームＩＤ４５６ｂを用いる。
【００１９】
次に、当該オーディオパケット４５ｂに含まれるＰＥＳ（Ｐａｃｋｅｔ  Ｅｌｅｍｅｎｔａｒｙ  Ｓｔｒｅａｍ：パケットエレメンタリストリーム）のバイト数を示すパケット長４５３ｂが記録されている。更に、ＰＴＳ（Ｐｒｅｓｅｎｔａｔｉｏｎ  Ｔｉｍｅ  Ｓｔａｍｐ：プレゼンテーションタイムスタンプ）４５４ｂが記録されている。このＰＴＳ４５４ｂは、再生出力する際に、オーディオデータ、ビデオデータ、サブストリーム間で同期を取って出力するためのタイミング情報として用いられる。また、パック長を所定の長さにするためのスタッフィングバイトを置くスタッフィング領域４５５ｂも確保されている。
【００２０】
スタッフィング領域４５５ｂの次には、当該オーディオパック４５がＭＰＥＧ形式で圧縮符号化されたオーディオパックである場合には、ＭＰＥＧ圧縮されたＭＰＥＧオーディオストリーム即ちオーディオデータ４５ｃが記録される。一方、当該オーディオパック４５がＡＣ３形式で圧縮符号化されたオーディオパックである場合には、ＡＣ３圧縮符号化のオーディオデータであることを示すと共に、ＡＣ３圧縮音声ストリームを識別するためのサブストリームＩＤ４５６ｂが記録されている。更に、オーディオデータ４５ｃのフレーム量子化情報やサンプリング周波数、オーディオフレーム数、オーディオデータ４５ｃの先頭アクセスユニットを示す先頭アドレスなどからなるフレーム情報４５７ｂが記録されている。その後に、ＡＣ３圧縮されたＡＣ３オーディオストリーム即ちオーディオデータ４５ｃが記録される。
【００２１】
以上のような論理的な記録フォーマットからなるＶＲ規格のＡＶデータをビデオ規格へ変換してダビングを行なうデータ変換方法としては、以下のような公知技術がある。
特許文献１に示す特開２００３−１０９３０６号公報「データ記録方法、データ記録装置、プログラム、及び媒体」では、高速ダビングを前提にしたデータ記録を行なう際には、ＶＲ規格とビデオ規格とのＡＶデータには、画像の画素数、音声圧縮方式等に相違点が存在しているため、いずれの規格にも共通に利用できる条件に限定して記録する必要があることが示されている。
【００２２】
更に、該特許文献１においては、ＶＲ規格では、例えば２ヶ国語放送に対応したデュアルモノラル音声形式（２重音声形式）といわれる音声モードが規格化されているが、ビデオ規格には、デュアルモノラル形式の音声モードが存在していないため、２ヶ国語放送のＡＶデータを高速ダビングにより変換して記録を行なう際には、デュアルモノラルの２重音声のうち、主音声もしくは副音声のいずれか一方を選択して、モノラル音声等のビデオ規格で適合できる音声方式で記録しなければならないことが示されている。
【００２３】
更に、放送番組の場合、放送番組の途中で、例えば、ステレオ音声からデュアルモノラル音声形式の２ヶ国語放送やモノラル音声に変更されるなど、オーディオ属性が変更される場合があるが、ＶＲ規格では、番組タイトルの途中でのオーディオ属性の変更にも対応して記録可能であるが、一方、ビデオ規格に準拠して放送番組を受信して記録する場合は、番組タイトルの途中では、オーディオ属性を変更することができないために、ステレオ音声からデュアルモノラル音声へ切り替わった場合には、主音声又は副音声のいずれかをＲｃｈとＬｃｈとの両方に入力するようにして、ステレオ音声のまま継続して記録することが示されている。
【００２４】
また、特許文献２に示す特開２００３−１９９０４６号公報「情報記録装置及び情報記録媒体」でも、前記特許文献１と同様に、ＶＲ規格からビデオ規格への高速ダイングが可能なフォーマットで記録するか否かをユーザに選択させ、ビデオ規格への高速ダビングが可能なフォーマットで記録することを選択した場合であって、ビデオ規格への変換不能なデュアルモノラル音声のオーディオ属性であった場合には、主音声又は副音声のいずれかをユーザに強制的に選択させ、ＲｃｈとＬｃｈとの両方に入力してステレオ音声に変換して記録することが示されている。
【００２５】
更に、該特許文献２では、ＶＲ規格からビデオ規格への変換互換性の有無を示す変換互換性情報を有し、デュアルモノラル音声として記録されているＶＲ規格のタイトルについては、該変換互換性情報には互換性無しとして記録することとし、ビデオ規格への高速ダビングができないタイトルであるとして制御する旨も示されている。
【００２６】
また、特許文献３に示す特開２００３−１３２６２８号公報「情報記録再生装置」では、デュアルモノラル音声の場合、より忠実にオリジナルの音声を記録するために、ＶＲ規格では、デュアルモノラル音声のまま記録し、一方、ビデオ規格のＤＶＤに記録する際に、リニアＰＣＭ方式の非圧縮音声データとして記録する場合は、１つのデュアルモノラル音声ストリームを中間状態として一旦主音声と副音声との２つのモノラル音声ストリームに分離した状態で記録しておき、分離した２つのモノラル音声ストリームを動画ストリームと共に高速ダビングする方法が示されている。また、ＭＰＥＧ方式やＤｏｌｂｙ  Ｄｉｇｉｔａｌ方式即ちＡＴＳＣ制定のＡＣ３方式などの音声圧縮データとして記録する場合は、音声圧縮データを伸長して元の非圧縮音声ストリームに戻した後、圧縮符号化し直して、動画ストリームと共に、音声ストリームをダビングする方法が示されている。
【００２７】
以下、前述したような特許文献３で記載されている既存技術に係るデータ記録装置の機能構成を、図１０を用いて説明する。ここに、図１０は、既存技術におけるデータ記録装置の機能構成の一例を示す機能ブロック構成図である。
図１０に示すデータ記録装置５０において、データ変換部５１は、音声データ入替部５１１、ＲＤＩ→ＮＶ変換部５１２、音声データ抽出部５１３及びストリーム分離部５１４から構成されている。データ変換部５１は、ＶＲ規格準拠のフォーマットのＡＶストリーム即ちＡＶデータを入力とし、ＮＶ規格のＡＶストリームに変換して出力する。
【００２８】
データ変換部５１に入力されたＶＲ規格のＡＶストリームは、音声データ入替部５１１と音声データ抽出部５１３とに入力される。音声データ抽出部５１３では、入力されたＡＶストリームにデュアルモノラル音声即ち２重音声の音声ストリームが含まれているか否かを識別し、２重音声の音声ストリームを抽出して、ストリーム分離部５１４へ出力する。ストリーム分離部５１４では、入力された２重音声の音声ストリームを主音声、副音声の２つのモノラルの音声ストリームに分離して、音声データ入替部５１１に出力する。
【００２９】
音声データ入替部５１１では、入力されたオリジナルのＡＶストリームに含まれる音声ストリームが２重音声の音声ストリームであった場合には、ストリーム分離部５１４で分離された２つのモノラルの音声ストリームをオリジナルの音声ストリームと入れ替えて、ＲＤＩ→ＮＶ変換部５１２に出力する。ＲＤＩ→ＮＶ変換部５１２では、音声データ入替部５１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部５２に対して出力する。記録媒体記録部５２では、管理情報設定部５３から出力される管理情報と共に、ビデオ規格のＡＶストリームをデータ記録媒体に記録する。
【００３０】
管理情報設定部５３では、オリジナルのＡＶストリームに含まれる音声ストリームが２重音声の音声ストリームであった場合には２つのモノラルの音声ストリームが存在することを、ＤＶＤやＨＤＤなどのデータ記録媒体の記録フォーマットに従った管理情報として生成し、記録媒体記録部５２に出力する。記録媒体記録部５２は、管理情報設定部５３から出力された管理情報と共に、データ変換部５１のＲＤＩ→ＮＶ変換部５１２から出力されたＡＶストリームを、ＤＶＤやＨＤＤなどのデータ記録媒体の記録フォーマットに適合したデータ形式として記録する。
【００３１】
図１１は、図１０に示す従来のデータ記録装置５０におけるオーディオデータの変換方法を示す模式図であり、ＶＲ規格のＡＶストリームからデュアルモノラル音声即ち２重音声の音声ストリームを抽出し、抽出された２重音声の音声ストリームを２ストリームのモノラル音声に分解し、オリジナルの２重音声の音声ストリームの代わりに、２つのモノラル音声ストリームに入れ替える方法を具体的に示している。
【００３２】
図１１に示すように、ＶＲ規格のＡＶストリーム６０に含まれている音声ストリームのＡ１パケット６２、Ａ２パケット６３が、デュアルモノラル即ち２重音声の音声ストリームであると音声データ抽出部５１３で識別され、かつ、抽出されて、ストリーム分離部５１４に入力されると、音声ストリームＡ１パケット６２とＡ２パケット６３とのそれぞれに含まれている主音声１  ６２１、副音声１  ６２２、…、主音声ｎ  ６２３、副音声ｎ  ６２４と、主音声（ｎ＋１）６３１、副音声（ｎ＋１）６３２、…、主音声２ｎ  ６３３、副音声２ｎ  ６３４とが、主音声と副音声とに分離されて、Ａ１′パケット６２′とＡ２′パケット６３′とに編集される。
【００３３】
一方、音声データ入替部５１１では、音声データ抽出部５１３にて２重音声の音声ストリームであることが識別された場合、オリジナルのＶＲ規格のＡＶストリーム６０に含まれている音声ストリームのＡ１パケット６２、Ａ２パケット６３を、ストリーム分離部５１４から出力されたＡ１′パケット６２′、Ａ２′パケット６３′に置換して、ＲＤＩ→ＮＶ変換部５１２に出力する。ＲＤＩ→ＮＶ変換部５１２では、音声データ入替部５１１からのＡＶストリームのＲＤＩパック６１をＮＶパック６４に変換して、ビデオ規格準拠のＡＶストリーム６０′を生成して、記録媒体記録部５２に対して出力する。
【特許文献１】特開２００３−１０９３０６号公報
【特許文献２】特開２００３−１９９０４６号公報
【特許文献３】特開２００３−１３２６２８号公報
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．０，Ｊｕｌｙ  １９９７
【非特許文献２】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．１，  Ｄｅｃｅｍｂｅｒ  １９９７
【非特許文献３】ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ３  ＶＩＤＥＯ  ＲＥＣＯＲＤＩＮＧ  Ｖｅｒｓｉｏｎ  １．１，Ｓｅｐｔｅｍｂｅｒ  ２０００
【発明の開示】
【発明が解決しようとする課題】
【００３４】
しかしながら、前記特許文献１に記載の技術の場合、デュアルモノラル音声が入力された場合でも、ビデオ規格への高速ダビングができるように、中間状態のＶＲ規格への記録の際に、予め選択した主音声か副音声かのいずれか一方のみを記録することとしているため、選択されなかった音声は常に再生することができないという課題があった。
【００３５】
また、前記特許文献２に記載の技術においても、ビデオ規格への高速ダイングが可能な中間状態のＶＲ規格のフォーマットとして記録した場合は、前記特許文献１の場合と同様に、選択されなかった音声については常に再生することができないという課題があった。更には、ビデオ規格への高速ダイングが不可能な中間状態のＶＲ規格のフォーマットとして記録することとした場合は、ＶＲ規格準拠のＡＶ再生装置であれば、主音声、副音声のいずれでも再生することができるが、ビデオ規格への高速ダイングをすることができないという課題があった。
【００３６】
前記特許文献１，２に対して、前記特許文献３に記載の技術では、リニアＰＣＭ方式の非圧縮音声として記録する場合は、入力音声がデュアルモノラル音声であっても、主副両方の音声が中間状態としてＶＲ規格に準拠して記録し、かつ、再生することができると共に、ビデオ規格への高速ダビングを行なった場合にも再生することができる可能性が高いという利点がある。
【００３７】
しかしながら、入力音声がタイトルの最初から最後までデュアルモノラル音声のまま音声フォーマットが変化しなかった場合にのみ再生が可能であって、タイトルの途中で、ステレオ、デュアルモノラル、モノラルなどと音声フォーマットが変わる場合には、ビデオ規格では１タイトル中に複数の音声フォーマットを用いることができないため、タイトル途中で音声フォーマットが変わるタイトルには高速ダビングに対応することができないという課題があった。
【００３８】
更に、高速ダビングに対応できる音声データは、非圧縮形式のリニアＰＣＭ符号化音声データのタイトルのみに限られており、ＭＰＥＧ／Ａｕｄｉｏ規格やＤｏｌｂｙ  Ｌａｂｏｒａｔｏｒｉｅｓ  Ｉｎｃ．制定のＡＣ３などに準拠して圧縮記録された圧縮音声データのタイトルを高速ダビングすることができず、一旦、デコードして元の音声データに復元して再生した後、再度、符号化し直す等速ダビング法しか採用することができないという課題があった。
【００３９】
更に、１タイトルの途中では音声フォーマットが変わらない場合であっても、デュアルモノラルの音声を２つの音声ストリームに変換する際に、ＡＶストリームからオーディオパケットを取り出し、主副音声の２つの音声ストリームに分離し、分離した２音声ストリームを取り出したＡＶストリームの元の場所と単純に入れ替えるような処理では、オーディオバッファモデルから逸脱し、音声ストリームがバッファをオーバーフローしたり、アンダーフローしたりする場合があり、ビデオ規格に違反するディスクを作成してしまうという課題があった。
【００４０】
このようなオーバーフローやアンダーフローに関する課題について、前述した図１１を用いて説明する。図１１にて説明したように、デュアルモノラル音声のオーディオパックを含むＶＯＢＵからなるＡＶストリーム６０の中から、デュアルモノラル音声の音声ストリームを構成するＡ１パケット６２、Ａ２パケット６３、…を抽出し、抽出されたＡ１パケット６２、Ａ２パケット６３、…のそれぞれを主音声と副音声との２つのモノラル音声ストリームを構成するＡ１′パケット６２′、Ａ２′パケット６３′、…に分解し、デュアルモノラル音声のＡ１パケット６２、Ａ２パケット６３、…の代わりに、２つのモノラル音声のＡ１′パケット６２′、Ａ２′パケット６３′、…に入れ替えて、２つのモノラル音声のオーディオパックを含むＶＯＢＵからなるＡＶストリーム６０′を生成している。
【００４１】
この際、Ａ１パケット６２とＡ１′パケット６２′、Ａ２パケット６３とＡ２′パケット６３′のＳＣＲ（Ｓｙｓｔｅｍ  Ｃｌｏｃｋ  Ｒｅｆｅｒｅｎｃｅ）は等しいので、変換する必要はない。これに対して、ＰＴＳ（Ｐｒｅｓｅｎｔａｔｉｏｎ  Ｔｉｍｅ  Ｓｔａｍｐ）は、主音声データ側のＡ１′パケット６２′と副音声データ側のＡ２′パケット６３′とをＡ１パケット６２のＰＴＳと等しくするために、Ａ２パケット６３のＰＴＳをＡ１パケット６２と同じＰＴＳに変更する必要がある。このため、オーディオバッファモデルに変更が生じ、オーディオバッファが破綻する場合が生じる。
【００４２】
本発明は、かかる事情に鑑みてなされたものであり、高速ダビングを前提とした記録を行なう場合において、音声データがデュアルモノラル音声即ち２重音声の圧縮音声データ（例えば、ＩＳＯ／ＩＥＣ１３８１８−３のＭＰＥＧ２  ＡＵＤＩＯ規格やＡＣ３規格などに準拠の圧縮音声データ）であった場合においても、中間状態としては、一旦、２重音声のまま記録し、高速ダビングを行なう時に、予め任意に設定された選択方法に基づいて、主音声と副音声とのいずれかを選択して、選択した同じ音声を、主音声と副音声との両方に設定して、ステレオ音声に変換することにより、ビデオ規格準拠のステレオ音声の圧縮音声データへの高速変換を可能とすることを目的としている。
【課題を解決するための手段】
【００４３】
第１の技術手段は、２重音声の圧縮音声データを含むデータを入力して２重音声の圧縮音声データを変換するデータ変換部と、該データ変換部から出力されたデータをデータ記録媒体に記録する記録媒体記録部とを備えたデータ変換装置であって、前記データ変換部に入力された２重音声の圧縮音声データを構成する主音声と副音声とのうちいずれかの音声を選択する２重音声選択部を備え、前記データ変換部が、前記２重音声選択部の選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とする。
【００４４】
第２の技術手段は、２重音声とステレオ音声との圧縮音声データを混在して含むデータを入力して２重音声の圧縮音声データを変換するデータ変換部と、該データ変換部から出力されたデータをデータ記録媒体に記録する記録媒体記録部とを備えたデータ変換装置であって、前記データ変換部に入力された圧縮音声データの中から、２重音声とステレオ音声とを判別する入力音声判別部と、該入力音声判別部により判別された２重音声の圧縮音声データを構成する主音声と副音声とのうちいずれかの音声を選択する２重音声選択部とを備え、前記データ変換部が、前記入力音声判別部においてステレオ音声と判別された圧縮音声データは、データ変換せずにそのまま出力し、前記入力音声判別部において２重音声と判別された圧縮音声データは、前記２重音声選択部の選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とする。
【００４５】
第３の技術手段は、前記第１又は第２の技術手段に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報としても用いる、インテンシティステレオ符号化を適用することを特徴とする。
【００４６】
第４の技術手段は、前記第３の技術手段に記載のデータ変換装置であって、前記データ変換部において左右両チャンネルに共通の音声波形情報を用いてステレオ音声の圧縮音声データとして変換する際に、前記インテンシティステレオ符号化を適用する周波数帯域を示すインテンシティステレオ範囲を、予め定めた仕様あるいは規格上取り得る限界となる最大値に設定することを特徴とする。
【００４７】
第５の技術手段は、前記第１又は第２の技術手段に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化を適用することを特徴とする。
【００４８】
第６の技術手段は、前記第５の技術手段に記載のデータ変換装置であって、前記データ変換部において左右両チャンネルに前記音声波形の和と差とを用いてステレオ音声の圧縮音声データとして変換する際に、前記和差ステレオ符号化を適用する周波数帯域を示す和差ステレオ範囲を、予め定めた仕様あるいは規格上取り得る限界となる最大値に設定することを特徴とする。
【００４９】
第７の技術手段は、前記第１又は第２の技術手段に記載のデータ変換装置であって、前記データ変換部において、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報にも用いる、インテンシティステレオ符号化と、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化とのいずれかを、予め定めた設定値に基づいて、適用することを特徴とする。
【００５０】
第８の技術手段は、前記第７の技術手段に記載のデータ変換装置であって、前記データ変換部において左右両チャンネルに共通の音声波形情報を用いてステレオ音声の圧縮音声データとして変換する際における前記インテンシティステレオ符号化を適用する周波数帯域を示すインテンシティステレオ範囲、及び／又は、前記データ変換部において左右両チャンネルに前記音声波形の和と差とを用いてステレオ音声の圧縮音声データとして変換する際における前記和差ステレオ符号化を適用する周波数帯域を示す和差ステレオ範囲を、予め定めた仕様あるいは規格上取り得る限界となる最大値に設定することを特徴とする。
【００５１】
第９の技術手段は、前記第１乃至第８の技術手段のいずれかに記載のデータ変換装置であって、前記データ変換部に入力される圧縮音声データのデータ形式が、圧縮音声データの他に、該圧縮音声データの種別を含む音声識別情報を構成するヘッダ情報が含まれるデータストリームの形式で入力されるものであり、前記データ変換部において圧縮音声データを２重音声データからステレオ音声データに変換する際に、前記データストリームに含まれる前記ヘッダ情報の前記音声識別情報を２重音声からステレオ音声を示す情報に変更して設定することを特徴とする。
【００５２】
第１０の技術手段は、前記第９の技術手段に記載のデータ変換装置であって、前記データ変換部において変換されたステレオ音声の圧縮音声データのデータ領域が、変換前の２重音声の圧縮音声データの圧縮データ量と同一のデータ量であることを特徴とする。
【００５３】
第１１の技術手段は、前記第１０の技術手段に記載のデータ変換装置であって、前記データストリームの形式が、ＩＳＯ／ＩＥＣ１３８１８−３規格に規定されたＭＰＥＧ２  ＡＵＤＩＯに準拠することを特徴とする。
【００５４】
第１２の技術手段は、前記第１１の技術手段に記載のデータ変換装置であって、前記データ変換部において変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、補助データを設定することが可能なアンシラリ領域として確保することを特徴とする。
【００５５】
第１３の技術手段は、前記第９の技術手段に記載のデータ変換装置であって、前記データストリームの形式が、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）ｓｔａｎｄａｒｄで規定されたＤｉｇｉｔａｌ  Ａｕｄｉｏ  Ｃｏｍｐｒｅｓｓｉｏｎ  Ｓｔａｎｄａｒｄ（ＡＣ３：Ａｕｄｉｏ  Ｃｏｄｅ  ｎｕｍｂｅｒ  ３）であることを特徴とする。
【００５６】
第１４の技術手段は、前記第１３の技術手段に記載のデータ変換装置であって、前記データ変換部において変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、パディングデータからなるスキップデータ領域として割り付けることを特徴とする。
【００５７】
第１５の技術手段は、前記第１乃至第１４の技術手段のいずれかに記載のデータ変換装置であって、前記データストリームの形式が、ＩＳＯ／ＩＥＣ１３８１８−１規格に規定されたＭＰＥＧ２  ＳＹＳＴＥＭにしたがうことを特徴とする。
【００５８】
第１６の技術手段は、前記第１乃至第１４の技術手段のいずれかに記載のデータ変換装置であって、前記記録媒体記録部が前記データ変換部から出力されたデータをデータ記録媒体に記録する際に、圧縮音声データの他に、該圧縮音声データを管理するための管理情報を付加して記録するものであり、前記データ変換部において圧縮音声データを２重音声データからステレオ音声データに変換した場合、前記管理情報に該圧縮音声データがステレオ音声である旨を設定することを特徴とする。
【００５９】
第１７の技術手段は、前記第１５又は第１６の技術手段に記載のデータ変換装置であって、前記データ変換部に入力されるデータ形式が、ＤＶＤのＶＲ（Ｖｉｄｅｏ  Ｒｅｃｏｒｄｉｎｇ）規格に規定された形式であり、前記データ変換部から出力されて、前記記録媒体記録部がデータ記録媒体に記録するデータ形式が、ＤＶＤのビデオ規格及び／又はＤＶＤのＶＲ規格に規定された形式であることを特徴とする。
【００６０】
第１８の技術手段は、前記第１乃至第１７の技術手段のいずれかに記載のデータ変換装置であって、前記２重音声選択部が、デフォルト状態として予め設定された標準的な音声の選択方法に基づいて、２重音声の圧縮音声データを構成する主音声と副音声とのうちいずれかの音声を選択することを特徴とする。
【００６１】
第１９の技術手段は、前記第１８の技術手段に記載のデータ変換装置であって、前記２重音声選択部がデフォルト状態として予め設定された標準的な音声の選択方法として、標準的な等速ダビングにおける音声の選択方法として予め設定されている選択方法を用いることを特徴とする。
【００６２】
第２０の技術手段は、前記第１８又は第１９の技術手段に記載のデータ変換装置であって、前記２重音声選択部がデフォルト状態として予め設定された標準的な音声の選択方法として、標準的な高速ダビングにおける音声の選択方法として予め設定されている選択方法を用いることを特徴とする。
【００６３】
第２１の技術手段は、前記第１８乃至第２０の技術手段のいずれかに記載のデータ変換装置であって、前記２重音声選択部がデフォルト状態として予め設定された標準的な音声の選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの記録方法として主音声、副音声のいずれを記録するかに関して予め設定されている選択方法を用いることを特徴とする。
【００６４】
第２２の技術手段は、前記第１８乃至第２１の技術手段のいずれかに記載のデータ変換装置であって、前記２重音声選択部がデフォルト状態として予め設定された標準的な音声の選択方法として、ＡＶ（Ａｕｄｉｏ−Ｖｉｄｅｏ）ストリームに含まれている音声ストリームが２重音声の場合に音声を再生する際の標準的なＡＶストリームの再生方法として主音声、副音声のいずれを再生するかに関して予め設定されている選択方法を用いることを特徴とする。
【００６５】
第２３の技術手段は、前記第１８乃至第２２の技術手段のいずれかに記載のデータ変換装置であって、前記２重音声選択部が、デフォルト状態として予め設定された標準的な音声の選択方法を用いる代わりに、ユーザが任意に設定した音声の選択方法を用いることができることを特徴とする。
【００６６】
第２４の技術手段は、２重音声の圧縮音声データを含むデータを入力して２重音声の圧縮音声データを変換するデータ変換ステップと、該データ変換ステップから出力されたデータをデータ記録媒体に記録する記録媒体記録ステップとを有するデータ変換方法であって、前記データ変換ステップに入力された２重音声の圧縮音声データを構成する主音声と副音声とのうちいずれかの音声を選択する２重音声選択ステップを有し、前記データ変換ステップが、前記２重音声選択ステップの選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とする。
【００６７】
第２５の技術手段は、２重音声とステレオ音声との圧縮音声データを混在して含むデータを入力して２重音声の圧縮音声データを変換するデータ変換ステップと、該データ変換ステップから出力されたデータをデータ記録媒体に記録する記録媒体記録ステップとを有するデータ変換方法であって、前記データ変換ステップに入力された圧縮音声データの中から、２重音声とステレオ音声とを判別する入力音声判別ステップと、該入力音声判別ステップにより判別された２重音声の圧縮音声データを構成する主音声と副音声とのうちいずれかの音声を選択する２重音声選択ステップとを有し、前記データ変換ステップが、前記入力音声判別ステップにおいてステレオ音声と判別された圧縮音声データは、データ変換せずにそのまま出力し、前記入力音声判別ステップにおいて２重音声と判別された圧縮音声データは、前記２重音声選択ステップの選択結果に基づいて、２重音声の圧縮音声データを構成する主音声又は副音声のいずれかを選択し、選択された音声により、選択されていない副音声又は主音声を設定して、ステレオ音声の圧縮音声データとして変換することを特徴とする。
【００６８】
第２６の技術手段は、前記第２４又は第２５の技術手段に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報としても用いる、インテンシティステレオ符号化を適用することを特徴とする。
【００６９】
第２７の技術手段は、前記第２６の技術手段に記載のデータ変換方法であって、前記データ変換ステップにおいて左右両チャンネルに共通の音声波形情報を用いてステレオ音声の圧縮音声データとして変換する際に、前記インテンシティステレオ符号化を適用する周波数帯域を示すインテンシティステレオ範囲を、予め定めた仕様あるいは規格上取り得る限界となる最大値に設定することを特徴とする。
【００７０】
第２８の技術手段は、前記第２４又は第２５の技術手段に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化を適用することを特徴とする。
【００７１】
第２９の技術手段は、前記第２８の技術手段に記載のデータ変換方法であって、前記データ変換ステップにおいて左右両チャンネルに前記音声波形の和と差とを用いてステレオ音声の圧縮音声データとして変換する際に、前記和差ステレオ符号化を適用する周波数帯域を示す和差ステレオ範囲を、予め定めた仕様あるいは規格上取り得る限界となる最大値に設定することを特徴とする。
【００７２】
第３０の技術手段は、前記第２４又は第２５の技術手段に記載のデータ変換方法であって、前記データ変換ステップにおいて、２重音声の圧縮音声データを構成する主音声又は副音声のいずれか選択された音声により、選択されていない副音声又は主音声を設定して、ステレオ音声の圧縮音声データとして変換する際に、選択された音声の音声波形情報を、左右両チャンネルに共通の音声として、選択されていない音声の音声波形情報にも用いる、インテンシティステレオ符号化と、選択された音声の音声波形を、選択された音声の音声波形同士の和となる２倍の音声波形と、選択された音声の音声波形同士の差となる零の音声波形と、を左右それぞれのチャンネルの音声の音声波形として用いる、和差ステレオ符号化とのいずれかを、予め定めた設定値に基づいて、適用することを特徴とする。
【００７３】
第３１の技術手段は、前記第３０の技術手段に記載のデータ変換方法であって、前記データ変換ステップにおいて左右両チャンネルに共通の音声波形情報を用いてステレオ音声の圧縮音声データとして変換する際における前記インテンシティステレオ符号化を適用する周波数帯域を示すインテンシティステレオ範囲、及び／又は、前記データ変換ステップにおいて左右両チャンネルに前記音声波形の和と差とを用いてステレオ音声の圧縮音声データとして変換する際における前記和差ステレオ符号化を適用する周波数帯域を示す和差ステレオ範囲を、予め定めた仕様あるいは規格上取り得る限界となる最大値に設定することを特徴とする。
【００７４】
第３２の技術手段は、前記第２４乃至第３１の技術手段のいずれかに記載のデータ変換方法であって、前記データ変換ステップに入力される圧縮音声データのデータ形式が、圧縮音声データの他に、該圧縮音声データの種別を含む音声識別情報を構成するヘッダ情報が含まれるデータストリームの形式で入力されるものであり、前記データ変換ステップにおいて圧縮音声データを２重音声データからステレオ音声データに変換する際に、前記データストリームに含まれる前記ヘッダ情報の前記音声識別情報を２重音声からステレオ音声を示す情報に変更して設定することを特徴とする。
【００７５】
第３３の技術手段は、前記第３２の技術手段に記載のデータ変換方法であって、前記データ変換ステップにおいて変換されたステレオ音声の圧縮音声データのデータ領域が、変換前の２重音声の圧縮音声データの圧縮データ量と同一のデータ量であることを特徴とする。
【００７６】
第３４の技術手段は、前記第３３の技術手段に記載のデータ変換方法であって、前記データストリームの形式が、ＩＳＯ／ＩＥＣ１３８１８−３規格に規定されたＭＰＥＧ２  ＡＵＤＩＯに準拠することを特徴とする。
【００７７】
第３５の技術手段は、前記第３４の技術手段に記載のデータ変換方法であって、前記データ変換ステップにおいて変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、補助データを設定することが可能なアンシラリ領域として確保することを特徴とする。
【００７８】
第３６の技術手段は、前記第３２の技術手段に記載のデータ変換方法であって、前記データストリームの形式が、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）ｓｔａｎｄａｒｄで規定されたＤｉｇｉｔａｌ  Ａｕｄｉｏ  Ｃｏｍｐｒｅｓｓｉｏｎ  Ｓｔａｎｄａｒｄ（ＡＣ３：Ａｕｄｉｏ  Ｃｏｄｅ  ｎｕｍｂｅｒ  ３）であることを特徴とする。
【００７９】
第３７の技術手段は、前記第３６の技術手段に記載のデータ変換方法であって、前記データ変換ステップにおいて変換されたステレオ音声の圧縮音声データのデータ領域を、変換前の２重音声の圧縮音声データの圧縮データ量と同一のデータ量とするために、変換後のステレオ音声の圧縮音声データの圧縮データ量を、変換前の２重音声の圧縮音声データの圧縮データ量以下に常にするように変換し、余った残りのデータ領域を、パディングデータからなるスキップデータ領域として割り付けることを特徴とする。
【００８０】
第３８の技術手段は、前記第２４乃至第３７の技術手段のいずれかに記載のデータ変換方法であって、前記データストリームの形式が、ＩＳＯ／ＩＥＣ１３８１８−１規格に規定されたＭＰＥＧ２  ＳＹＳＴＥＭにしたがうことを特徴とする。
【００８１】
第３９の技術手段は、前記第２４乃至第３７の技術手段のいずれかに記載のデータ変換方法であって、前記記録媒体記録ステップが前記データ変換ステップから出力されたデータをデータ記録媒体に記録する際に、圧縮音声データの他に、該圧縮音声データを管理するための管理情報を付加して記録するものであり、前記データ変換ステップにおいて圧縮音声データを２重音声データからステレオ音声データに変換した場合、前記管理情報に該圧縮音声データがステレオ音声である旨を設定することを特徴とする。
【００８２】
第４０の技術手段は、前記第３８又は第３９の技術手段に記載のデータ変換方法であって、前記データ変換ステップに入力されるデータ形式が、ＤＶＤのＶＲ（Ｖｉｄｅｏ  Ｒｅｃｏｒｄｉｎｇ）規格に規定された形式であり、前記データ変換ステップから出力されて、前記記録媒体記録ステップがデータ記録媒体に記録するデータ形式が、ＤＶＤのビデオ規格及び／又はＤＶＤのＶＲ規格に規定された形式であることを特徴とする。
【００８３】
第４１の技術手段は、前記第２４乃至第４０の技術手段のいずれかに記載のデータ変換方法であって、前記２重音声選択ステップが、デフォルト状態として予め設定された標準的な音声の選択方法に基づいて、２重音声の圧縮音声データを構成する主音声と副音声とのうちいずれかの音声を選択することを特徴とする。
【００８４】
第４２の技術手段は、前記第４１の技術手段に記載のデータ変換方法であって、前記２重音声選択ステップがデフォルト状態として予め設定された標準的な音声の選択方法として、標準的な等速ダビングにおける音声の選択方法として予め設定されている選択方法を用いることを特徴とする。
【００８５】
第４３の技術手段は、前記第４１又は第４２の技術手段に記載のデータ変換方法であって、前記２重音声選択ステップがデフォルト状態として予め設定された標準的な音声の選択方法として、標準的な高速ダビングにおける音声の選択方法として予め設定されている選択方法を用いることを特徴とする。
【００８６】
第４４の技術手段は、前記第４１乃至第４３の技術手段のいずれかに記載のデータ変換方法であって、前記２重音声選択ステップがデフォルト状態として予め設定された標準的な音声の選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの記録方法として主音声、副音声のいずれを記録するかに関して予め設定されている選択方法を用いることを特徴とする。
【００８７】
第４５の技術手段は、前記第４１乃至第４４の技術手段のいずれかに記載のデータ変換方法であって、前記２重音声選択ステップがデフォルト状態として予め設定された標準的な音声の選択方法として、ＡＶ（Ａｕｄｉｏ−Ｖｉｄｅｏ）ストリームに含まれている音声ストリームが２重音声の場合にビデオ規格音声を再生する際の標準的なＡＶストリームの再生方法として主音声、副音声のいずれを再生するかに関して予め設定されている選択方法を用いることを特徴とする。
【００８８】
第４６の技術手段は、前記第４１乃至第４５の技術手段のいずれかに記載のデータ変換方法であって、前記２重音声選択ステップが、デフォルト状態として予め設定された標準的な音声の選択方法を用いる代わりに、ユーザが任意に設定した音声の選択方法を用いることができることを特徴とする。
【００８９】
第４７の技術手段は、前記第２４乃至第４７の技術手段のいずれかに記載のデータ変換方法を、コンピュータにより実行可能なプログラムとして実施するデータ変換プログラムとすることを特徴とする。
【００９０】
第４８の技術手段は、前記第４７の技術手段に記載のデータ変換プログラムをコンピュータにより読み取り可能な記録媒体に記録したプログラム記録媒体とすることを特徴とする。
【発明の効果】
【００９１】
以上のごとき各技術手段のいずれかから構成される本発明によれば、次のような効果が齎される。
従来の技術では、高速ダビングを前提とした記録を行なう場合、２重音声即ちデュアルモノラルの音声ストリームを記録することができないか、あるいは、タイトル途中にデュアルモノラル音声とステレオ音声とが混在した音声ストリームを記録することができず、主音声あるいは副音声のいずれか一方を固定的に選択して記録せざるを得なかった。
【００９２】
本発明によれば、高速ダビングを前提とした記録を行なう場合にも、２重音声即ちデュアルモノラルの音声ストリームを記録、あるいは、タイトル途中にデュアルモノラル音声とステレオ音声とが混在した音声ストリームを記録し、高速ダビングを行なう際に、音声データが変換すべきデュアルモノラル音声即ち２重音声の圧縮音声データであった場合、予め任意に設定された選択方法に基づいて、主音声と副音声とのいずれかを選択して、選択した同じ音声を、主音声と副音声との左右両方のチャンネルに設定して、あるいは、両者の音声波形の和データと差データとを左右のチャンネルそれぞれに設定して、ステレオ音声の圧縮音声データに高速変換することができる。
【００９３】
而して、本発明は、デュアルモノラル音声即ち２重音声の音声ストリームのみの音声ストリームであっても、あるいは、タイトル途中にデュアルモノラル音声即ち２重音声とステレオ音声とが混在した音声ストリームであっても、ＰＴＳ（Ｐｒｅｓｅｎｔａｔｉｏｎ  Ｔｉｍｅ  Ｓｔａｍｐ）に変更が伴わず、オーディオバッファが破綻することもなく、ビデオ規格準拠のステレオ音声データへの高速変換が可能となり、ユーザの利便性を大幅に向上することができる。
【発明を実施するための最良の形態】
【００９４】
以下、本発明に係るデータ変換装置、データ変換方法、データ変換プログラム及びプログラム記録媒体を実施するための最良の形態について図を用いて説明する。なお、以下の説明においては、本発明に係るデータ変換装置及びデータ変換方法に関する実施形態の一例について説明し、本発明に係るデータ変換プログラム及びプログラム記録媒体に関する実施形態の説明は省略するが、データ変換装置及びデータ変換方法に関する詳細な説明から、本データ変換方法をコンピュータによりプログラムとして実行するデータ変換プログラム、及び、該データ変換プログラムをコンピュータにより読み取り可能な記録媒体に記録するプログラム記録媒体についても容易に理解することができる。
【００９５】
まず、本発明に係るデータ変換装置の第１の実施例について説明する。図１は、本発明に係るデータ変換装置の機能構成の一例を示す機能ブロック構成図である。図１に示す通り、本実施例におけるデータ変換装置１０は、図１０に示した従来のデータ記録装置５０と略同様に、ＶＲ規格のＡＶストリームを入力とし、図示していないデータ記録媒体にビデオ規格のＡＶストリームに変換して記録する機能構成を備えているが、図１０のデータ記録装置５０のデータ変換部５１とは異なり、ストリーム分離部５１４の代わりに、データ変換部１１には２重音声選択部１１５を備えていると共に、圧縮音声データを高速変換する圧縮音声データ変換部１１４を備えている。
【００９６】
更に、本実施例におけるデータ変換装置１０へ入力するＡＶストリームに含まれる音声ストリームとしては、非圧縮方式のリニアＰＣＭ符号化の音声データではなく、ＭＰＥＧ方式（例えば、ＩＳＯ／ＩＥＣ１３８１８−３規格に規定されたＭＰＥＧ２  ＡＵＤＩＯ方式）やＤｏｌｂｙ  Ｌａｂｏｒａｔｏｒｉｅｓ  Ｉｎｃ．が制定したＤｏｌｂｙ  Ｄｉｇｉｔａｌ（ドルビーデジタル）方式であるＡＣ３方式などの圧縮音声データであることを前提としている。このため、データ変換装置１０が取り扱う対象とする音声ストリームが圧縮符号化された圧縮音声データであることに伴い、図１０に示すデータ記録装置５０の音声データ入替部５１１の代わりに、圧縮音声データを一時的に保持することが可能な圧縮音声データ入替部１１１を用いること、また、音声データ抽出部５１３の代わりに、圧縮音声データを抽出する圧縮音声データ抽出部１０１を用いている点も異なっている。
【００９７】
図１に示す本発明に係るデータ変換装置１０について更に詳細に説明する。
データ変換部１１は、圧縮音声データ入替部１１１、ＲＤＩ→ＮＶ変換部１１２、圧縮音声データ抽出部１１３、圧縮音声データ変換部１１４及び２重音声選択部１１５から構成されている。データ変換部１１は、前述のように、ＶＲ規格準拠のフォーマットからなるＡＶストリーム即ちＡＶデータを入力とし、ＮＶ規格準拠のＡＶストリームに変換して出力する。
【００９８】
即ち、データ変換部１１に入力されたＡＶストリームは、圧縮音声データ入替部１１１と圧縮音声データ抽出部１１３とに入力される。圧縮音声データ抽出部１１３は、入力されたＡＶストリームにデュアルモノラル音声即ち２重音声の圧縮音声データが含まれているか否かを識別し、２重音声の音声ストリームを抽出して、圧縮音声データ変換部１１４へ出力している。
【００９９】
圧縮音声データ変換部１１４では、入力された２重音声の音声ストリームの中から、２重音声選択部１１５で任意に選択されている選択方法に基づいて、主音声あるいは副音声のいずれかを選択し、選択された音声を選択されていない副音声あるいは主音声に設定することにより、右と左の両チャンネルに同一の音声を設定して、ステレオ音声の圧縮音声データとして変換する。
【０１００】
ここで、入力された音声ストリームの圧縮音声データが、主音声データと副音声データとに分離されている場合は、２重音声選択部１１５で任意に選択されている選択方法に基づいて、主音声データあるいは副音声データのいずれかを選択し、選択された音声データを選択されていない副音声データあるいは主音声データに入れ替えて設定することにより、右と左の両チャンネルに同一の音声データを設定して、ステレオ音声の圧縮音声データとして変換することができる。
【０１０１】
しかしながら、入力された音声ストリームの圧縮音声データが、主音声データと副音声データとに分離されていない場合は、入力ストリームの圧縮音声データから、主音声データと副音声データとの２つに分離することができないため、前述したように、２重音声選択部１１５で任意に選択されている選択方法に基づいて、主音声成分と副音声成分とのそれぞれを示す主音声あるいは副音声のいずれかを選択し、選択された成分の音声を選択されていない副音声あるいは主音声に設定することにより、右と左の両チャンネルに同一の音声を設定して、ステレオ音声の圧縮音声データとして変換することになる。
【０１０２】
あるいは、２重音声データのいずれかの同一の音声を主音声及び副音声の両方に設定することを行なわずに、主音声及び副音声の両方をそのままステレオ音声の圧縮データとして変換するようにしても良い。なお、圧縮音声データ変換部１１４における更に具体的な音声データ変換方法については後述する。圧縮音声データ変換部１１４にてステレオ音声の圧縮音声データに変換された音声ストリームは、圧縮音声データ入替部１１１に出力される。
【０１０３】
圧縮音声データ入替部１１１では、入力されたオリジナルのＡＶストリームに含まれる音声ストリームがデュアルモノラル音声即ち２重音声の圧縮音声ストリームであった場合には、圧縮音声データ変換部１１４にて変換されたステレオ音声の圧縮音声ストリームをオリジナルの圧縮音声ストリームと入れ替えて、ＲＤＩ→ＮＶ変換部１１２に出力する。
【０１０４】
ＲＤＩ→ＮＶ変換部１１２では、音声データ入替部１１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部１２に対して出力する。
【０１０５】
管理情報設定部１３では、図１０に示す従来のデータ記録装置５０の管理情報設定部５３と略同様に、オリジナルのＡＶストリームに含まれる音声ストリームが２重音声の音声ストリームであった場合には、２重音声選択部１１５により選択された選択方法に基づくステレオ音声の音声ストリームに変換していることを、ＤＶＤやＨＤＤなどのデータ記録媒体の記録フォーマットに従った管理情報として生成し、記録媒体記録部１２に出力する。
【０１０６】
記録媒体記録部１２は、管理情報設定部１３から出力された管理情報と共に、データ変換部１１のＲＤＩ→ＮＶ変換部１１２から出力されたＡＶストリームを、ＤＶＤやＨＤＤなどのデータ記録媒体の記録フォーマットに適合したデータ形式として記録する。
【０１０７】
なお、入力された２重音声の音声ストリームの選択方法を予め設定する２重音声選択部１１５は、等速ダビング設定部１１５ａ、高速ダビング設定部１１５ｂ、Ｖｉｄｅｏ記録設定部１１５ｃ、再生音声設定部１１５ｄ、予約設定部１１５ｅを備えて構成されている。等速ダビング設定部１１５ａは、ＡＶストリームを再生してから記録する等速ダビングを行なう際に、ＡＶストリームの音声ストリームがデュアルモノラル音声即ち２重音声であった場合に、主音声、副音声のいずれの音声を記録するかを標準的な等速ダビングにおける音声の選択方法として、デフォルト状態として予め設定されている設定値をそのまま用いて設定するものである。
【０１０８】
また、高速ダビング設定部１１５ｂは、ＡＶストリーム再生することなくそのまま記録する高速ダビングを行なう際に、ＡＶストリームの音声ストリームがデュアルモノラル音声即ち２重音声であった場合に、主音声、副音声のいずれの音声を用いてステレオ音声へ変換するかを指定する標準的な高速ダビングにおける音声の選択方法として、デフォルト状態として予め設定されている設定値をそのまま用いて設定するものである。
【０１０９】
また、Ｖｉｄｅｏ記録設定部１１５ｃは、入力されてくるＡＶストリームのうち、ＡＶストリームに含まれている音声ストリームが２重音声の場合にビデオ規格に変換する標準的なＡＶストリームの記録方法として、主音声、副音声のいずれを記録するかに関して、デフォルト状態として予め設定されている設定値をそのまま用いて設定するものである。また、再生音声設定部１１５ｄは、ＡＶストリームに含まれている音声ストリームが２重音声の場合にビデオ規格に変換する標準的なＡＶストリームの再生方法として、主音声、副音声のいずれを再生するかに関して、デフォルト状態として予め設定されている設定値をそのまま用いて設定するものである。
【０１１０】
更には、予約設定部１１５ｅは、ユーザがダビングを行なう際に又はダビング予約を行なう際に、デフォルト状態として予め設定された標準的ないずれかの選択方法を用いるのではなく、ユーザの目的や嗜好に合った音声を予め任意に選択して設定するものである。ここで、以上の等速ダビング設定部１１５ａや高速ダビング設定部１１５ｂやＶｉｄｅｏ記録設定部１１５ｃや再生音声設定部１１５ｄや予約設定部１１５ｅのいずれか１つの選択・設定方法を用いたり、あるいは、複数の選択・設定方法の組み合わせを用いることも可能である。
但し、図１に示した本発明に係るデータ変換装置１０においては、ＡＶストリーム中にステレオ音声と２重音声とが混在する音声ストリームを処理することはできず、ＡＶストリーム中の音声ストリームがデュアルモノラル音声即ち２重音声のみの場合について高速変換が可能である。
【０１１１】
また、図１に示した本発明に係るデータ変換装置１０においては、ＤＶＤに記録するためのフォーマットからなるＶＲ規格のＡＶストリームから、ビデオ規格への変換を行なう場合について説明をしたが、入出力するＡＶストリームのフォーマットに関しては、如何なるフォーマットであっても良い。例えば、入出力フォーマットを、ＩＳＯ／ＩＥＣ１３８１８−１規格に規定されたＭＰＥＧ２  ＳＹＳＴＥＭにおけるＭＰＥＧ−ＴＳ（Ｔｒａｎｓｐｏｒｔ  Ｓｔｒｅａｍ）フォーマットとして、データ変換しても、バッファモデルの破綻を起こさず、全く問題なく変換することが可能である。
【０１１２】
次に、図１に示すデータ変換装置１０におけるデータ変換方法の動作について、図５に示すフローチャートを用いて更に説明する。図５は、本発明に係るデータ変換方法の一例を示す動作フローチャートである。
まず、ＶＲ規格準拠のＡＶストリームをデータ変換装置１０に読み込む（ステップＳ０１）。読み込まれたＡＶストリームの中から、デュアルモノラル音声即ち２重音声の音声ストリームを抽出する（ステップＳ０２）。次のステップＳ０３からＳ０５までは、ステップＳ０２にて抽出されたＶＲ規格準拠のデュアルモノラル音声即ち２重音声の圧縮音声データをビデオ規格に準拠可能なステレオ音声データに変換するステップである。ここでは、ステップＳ０１で入力されるＡＶストリームに含まれている音声ストリームは、２重音声の圧縮音声データのみに限定している。
【０１１３】
ここで、まず、ステップＳ０２にて抽出された２重音声の圧縮音声データのうち、主音声を主副の両方の音声に設定するか否かの判定を行なう（ステップＳ０３）。主音声を主副の両方の音声に設定すると判定された場合（ステップＳ０３のＹＥＳ）、主音声により副音声を設定して、圧縮音声のステレオ音声データに変換する（ステップＳ０４）。
【０１１４】
ここで、入力された音声ストリームの圧縮音声データが、主音声データと副音声データとに分離されている場合は、主音声データを選択し、選択された主音声データを選択されていない副音声データに入れ替えて設定することにより、右と左の両チャンネルに同一の音声データを設定して、ステレオ音声の圧縮音声データとして変換することができる。
【０１１５】
しかしながら、入力された音声ストリームの圧縮音声データが、主音声データと副音声データとに分離されていない場合は、入力ストリームの圧縮音声データから、主音声データと副音声データの２つに分離することができないので、前述したように、主音声を副音声に設定することにより、右と左の両チャンネルに同一の音声を設定して、ステレオ音声の圧縮音声データとして変換する。
【０１１６】
一方、主音声を主副の両方の音声には設定しないと判定された場合には（ステップＳ０３のＮＯ）、副音声を主副の両方の音声に設定するものと判定して、副音声により主音声を設定して、圧縮音声のステレオ音声データに変換する（ステップＳ０５）。
【０１１７】
次に、入力された２重音声の圧縮音声データのオリジナル音声データからなるＡＶストリームを、変換された圧縮音声データからなるＡＶストリームに入れ替える（ステップＳ０６）。
ステップＳ０６で、変換された圧縮音声データからなるＡＶストリームに入れ替えたＡＶストリームを入力として、該ＡＶストリーム中のＲＤＩヘッダをＮＶヘッダに変換して、ビデオ規格準拠のＡＶストリームに変換する（ステップＳ０７）。
【０１１８】
更に、２重音声をステレオ音声の音声ストリームに変換した旨を示すように、画像や音声の属性情報などのタイトル情報を含む管理情報を生成して（ステップＳ０８）、最後に、ステップＳ０７で作成されたビデオ規格準拠のＡＶストリームとステップＳ０８で生成された管理情報とをデータ記録媒体に記録する（ステップＳ０９）。
【０１１９】
本発明に係るデータ変換方法においては、前述のデータ変換装置１０において説明したように、入出力ＡＶストリームのフォーマットに関しては、如何なるフォーマットであっても良い。例えば、入出力フォーマットをＭＰＥＧ−ＴＳフォーマットとしてデータ変換しても、バッファモデルの破綻を起こさず、全く問題なく変換することが可能である。
但し、図１に示すデータ変換装置１０において適用される本データ変換方法は、ＡＶストリーム中にステレオ音声と２重音声とが混在した音声ストリームが存在しているような場合には、データ変換処理を施すことはできなく、入力ＡＶストリーム中の音声ストリームが２重音声のみの場合に適用可能なデータ変換方法となっている。
【０１２０】
次に、本発明に係るデータ変換装置の第２の実施例について、図２を用いて説明する。図２は、本発明に係るデータ変換装置の機能構成の異なる例を示す機能ブロック構成図である。
実施例１における構成の場合においては、前述したように、或るタイトルのＡＶストリーム中に、例えばステレオ音声と２重音声とが混在した音声ストリームが含まれているような場合には処理することはできず、或るタイトルのＡＶストリーム中の音声ストリームが最初から最後まで同一の音声ストリーム例えばデュアルモノラル音声即ち２重音声の音声ストリームのみから構成されている場合にしか、ビデオ規格にデータ変換することができない。
【０１２１】
図２に示すデータ変換装置２０においては、ステレオ音声のみ、もしくは、ステレオ音声と２重音声とが混在した音声ストリームを含むＡＶストリームについても、ＶＲ規格からビデオ規格のＡＶストリームに変換可能とするものである。ここに、図２に示すデータ変換装置２０は、図１に示すデータ変換装置１０と略同様の機能構成を備えているが、データ変換装置２０のデータ変換部２１は、図１のデータ変換装置１０のデータ変換部１１に対して、更に、入力音声の種別を判定する入力音声判定部２１６を備えて構成されている。
【０１２２】
図２に示す本発明に係るデータ変換装置２０について更に詳細に説明する。
データ変換部２１は、圧縮音声データ入替部２１１、ＲＤＩ→ＮＶ変換部２１２、圧縮音声データ抽出部２１３、圧縮音声データ変換部２１４、２重音声選択部２１５及び入力音声判定部２１６から構成されている。
データ変換部２１は、図１のデータ変換部１１と同様に、ＶＲ規格準拠のフォーマットからなるＡＶストリーム即ちＡＶデータを入力とし、ＮＶ規格準拠のＡＶストリームに変換して出力する。
【０１２３】
即ち、データ変換部２１に入力されたＡＶストリームは、圧縮音声データ入替部２１１と圧縮音声データ抽出部２１３とに入力される。ここで、データ変換部２１に入力されたＡＶストリームは、図１のデータ変換装置１０の場合と異なり、ＡＶストリームに含まれる音声ストリームとしては、デュアルモノラル即ち２重音声のみに限るものではなく、ステレオ音声と２重音声とが混在していても良い。圧縮音声データ抽出部２１３は、入力されたＡＶストリームにデュアルモノラル音声即ち２重音声あるいはステレオ音声の圧縮音声データが含まれているか否かを識別し、２重音声あるいはステレオ音声の圧縮音声ストリームを抽出し、圧縮音声データ変換部２１４と入力音声判定部２１６とに出力している。
【０１２４】
入力音声判定部２１６では、入力された圧縮音声ストリームが２重音声とステレオ音声とのいずれかを判定し、その判定結果を圧縮音声データ変換部２１４に対して出力する。
【０１２５】
圧縮音声データ変換部２１４では、入力音声判定部２１６から出力された圧縮音声ストリームの判定結果に基づいて、入力された圧縮音声ストリームの中から２重音声の音声ストリームのみを抽出し、更に、２重音声選択部２１５で任意に選択されている選択方法に基づいて、主音声あるいは副音声のいずれかを選択し、選択された音声を選択されていない副音声あるいは主音声に設定することにより、右と左の両チャンネルに同一の音声を設定して、ステレオ音声の圧縮音声データとして変換する。
【０１２６】
ここで、入力された音声ストリームの圧縮音声データが、主音声データと副音声データとに分離されている場合は、２重音声選択部２１５で任意に選択されている選択方法に基づいて、主音声データあるいは副音声データのいずれかを選択し、選択された音声データを選択されていない副音声データあるいは主音声データに入れ替えて設定することにより、右と左の両チャンネルに同一の音声データを設定して、ステレオ音声の圧縮音声データとして変換する。
【０１２７】
しかしながら、入力された音声ストリームの圧縮音声データが、主音声データと副音声データとに分離されていない場合は、入力ストリームの圧縮音声データから、主音声データと副音声データの２つに分離することができないので、第１の実施例でも前述したように、２重音声選択部２１５で任意に選択されている選択方法に基づいて、主音声あるいは副音声のいずれかを選択し、選択された音声を選択されていない副音声あるいは主音声に設定することにより、右と左の両チャンネルに同一の音声を設定して、ステレオ音声の圧縮音声データとして変換する。
【０１２８】
あるいは、２重音声のいずれかの同一の音声を主音声及び副音声の両方に設定することを行なわずに、主音声及び副音声の両方をそのままステレオ音声の圧縮音声データに変換するようにしても良い。なお、圧縮音声データ変換部２１４における更に具体的な音声データ変換方法については後述する。圧縮音声データ変換部２１４にてステレオ音声の圧縮音声データに変換された音声ストリームは、圧縮音声データ入替部２１１に出力される。
但し、圧縮音声データ変換部２１４から圧縮音声データ入替部２１１に対して出力される音声ストリームは、２重音声の音声ストリームを変換したステレオ音声の圧縮音声データのみでなく、変換対象としていないステレオ音声の部分をも含めて出力するようにしている。
【０１２９】
以降の処理は、図１のデータ変換装置１０の場合と全く同様である。即ち、圧縮音声データ入替部２１１では、入力されたオリジナルのＡＶストリームに含まれる音声ストリームがデュアルモノラル音声即ち２重音声の音声ストリームであった場合には、圧縮音声データ変換部２１４にて変換されたステレオ音声の音声ストリームをオリジナルの圧縮符号化音声ストリームと入れ替えて、ＲＤＩ→ＮＶ変換部２１２に出力する。
【０１３０】
ＲＤＩ→ＮＶ変換部２１２では、圧縮音声データ入替部２１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部２２に対して出力する。
【０１３１】
管理情報設定部２３では、オリジナルのＡＶストリームに含まれる音声ストリームが２重音声の音声ストリームであった場合には、２重音声選択部２１５により選択された選択方法に基づくステレオ音声の音声ストリームに変換していることを、ＤＶＤやＨＤＤなどのデータ記録媒体の記録フォーマットに従った管理情報として生成し、記録媒体記録部２２に出力する。
【０１３２】
記録媒体記録部２２は、管理情報設定部２３から出力された管理情報と共に、データ変換部１１のＲＤＩ→ＮＶ変換部２１２から出力されたＡＶストリームを、ＤＶＤやＨＤＤなどのデータ記録媒体の記録フォーマットに適合したデータ形式として記録する。
【０１３３】
なお、入力された２重音声の音声ストリームの選択方法を予め設定する２重音声選択部２１５は、図１に示すデータ変換装置１０の２重音声選択部１１５と同様に、等速ダビング設定部２１５ａ、高速ダビング設定部２１５ｂ、Ｖｉｄｅｏ記録設定部２１５ｃ、再生音声設定部２１５ｄ、予約設定部２１５ｅを備えて構成されている。等速ダビング設定部２１５ａは、ＡＶストリームを再生してから記録する等速ダビングを行なう際に、ＡＶストリームの音声ストリームがデュアルモノラル音声即ち２重音声であった場合に、主音声、副音声のいずれの音声を記録するかを標準的な等速ダビングにおける音声の選択方法として、デフォルト状態として予め設定されている設定値をそのまま用いて設定するものである。
【０１３４】
また、高速ダビング設定部２１５ｂは、ＡＶストリーム再生することなくそのまま記録する高速ダビングを行なう際に、ＡＶストリームの音声ストリームがデュアルモノラル音声即ち２重音声であった場合に、主音声、副音声のいずれの音声を用いてステレオ音声データに変換するかを指定する標準的な高速ダビングにおける音声の選択方法として、デフォルト状態として予め設定されている設定値をそのまま用いて設定するものである。
【０１３５】
また、Ｖｉｄｅｏ記録設定部２１５ｃは、入力されてくるＡＶストリームのうち、ＡＶストリームに含まれている音声ストリームが２重音声の場合にビデオ規格に変換する標準的なＡＶストリームの記録方法として、主音声、副音声のいずれを記録するかに関して、デフォルト状態として予め設定されている設定値をそのまま用いて設定するものである。また、再生音声設定部２１５ｄは、ＡＶストリームに含まれている音声ストリームが２重音声の場合にビデオ規格に変換する標準的なＡＶストリームの再生方法として、主音声、副音声のいずれを再生するかに関して、デフォルト状態として予め設定されている設定値をそのまま用いて設定するものである。
【０１３６】
更には、予約設定部２１５ｅは、ユーザがダビングを行なう際に又はダビング予約を行なう際に、デフォルト状態として予め設定された標準的ないずれかの選択方法を用いるのではなく、ユーザの目的や嗜好に合った音声を予め任意に選択して設定するものである。ここで、以上の等速ダビング設定部２１５ａや高速ダビング設定部２１５ｂやＶｉｄｅｏ記録設定部２１５ｃや再生音声設定部２１５ｄや予約設定部２１５ｅのいずれか１つの選択・設定方法を用いたり、あるいは、複数の選択・設定方法の組み合わせを用いることも可能である。
【０１３７】
以上のような図２に示すデータ変換装置２０の構成の場合においても、ＳＣＲ（Ｓｙｓｔｅｍ  Ｃｌｏｃｋ  Ｒｅｆｅｒｅｎｃｅ）とＰＴＳ（Ｐｒｅｓｅｎｔａｔｉｏｎ  Ｔｉｍｅ  Ｓｔａｍｐ）とを変更する必要はないので、オーディオバッファモデルに変更が生じることはなく、従来例のようなオーディオバッファが破綻するという課題を解決することができる。
【０１３８】
また、図２に示した本発明に係るデータ変換装置２０においては、ＤＶＤに記録するためのフォーマットからなるＶＲ規格のＡＶストリームから、ビデオ規格への変換を行なう場合について説明をしたが、図１に示すデータ変換装置１０の場合と同様に、入出力するＡＶストリームのフォーマットに関しては、如何なるフォーマットであっても良い。例えば、入出力フォーマットをＭＰＥＧ−ＴＳ（Ｔｒａｎｓｐｏｒｔ  Ｓｔｒｅａｍ）フォーマットとしてデータ変換しても、バッファモデルの破綻を起こさず、全く問題なく変換することが可能である。
【０１３９】
次に、図２に示すデータ変換装置２０におけるデータ変換方法の動作について、図６に示すフローチャートを用いて更に説明する。図６は、本発明に係るデータ変換方法の異なる例を示す動作フローチャートである。
図６に示すフローチャートは、図５に示したフローチャートと略同一であり、ステップＳ０３ａに示す判定ステップが追加されていることのみが異なっている。図６のフローチャートに従って、データ変換方法の動作を説明すると、次の通りである。
【０１４０】
まず、ＶＲ規格準拠のＡＶストリームをデータ変換装置２０に読み込む（ステップＳ０１）。読み込まれたＡＶストリームの中から、音声ストリームを抽出する（ステップＳ０２）。ここで、ステップＳ０１において読み込まれるＡＶストリームに含まれている圧縮音声データは、２重音声のみでなく、ステレオ音声のみの場合や、ステレオ音声と２重音声とが混在した圧縮音声データであっても良く、図５に示す入力ＡＶストリームと比較して、適用範囲が広く、ユーザへの利便性が広がっている。
【０１４１】
従って、次のステップＳ０３ａでは、入力された圧縮音声データを２重音声か否かを判定し、２重音声の圧縮音声データであれば（ステップＳ０３ａのＹＥＳ）、ステップＳ０３へ移行し、２重音声の圧縮音声データをステレオ音声データに変換する処理に入る。一方、２重音声の圧縮音声データではないと判定された場合は（ステップＳ０３ａのＮＯ）、データ変換の対象の圧縮音声データではないものとして、ステップＳ０６へ移行する。あるいは、ステップＳ０７へ移行しても良い。
【０１４２】
ステップＳ０３ａにおいて２重音声の圧縮音声データと判定された場合に（ステップＳ０３ａのＹＥＳ）、次のステップＳ０３からＳ０５までは、ステップＳ０２にて抽出されたＶＲ規格準拠のデュアルモノラル音声即ち２重音声の圧縮音声データをビデオ規格に準拠可能なステレオ音声データに変換するステップである。即ち、ステップＳ０１で入力されるＡＶストリームに含まれている音声ストリームのうち、２重音声のリニアＰＣＭ音声データのみを抽出して、データ変換を行なうようにしている。
【０１４３】
ここで、まず、ステップＳ０２にて抽出された２重音声の圧縮音声データのうち、主音声を主副の両方の音声に設定するか否かの判定を行なう（ステップＳ０３）。主音声を主副の両方の音声に設定すると判定された場合（ステップＳ０３のＹＥＳ）、主音声により副音声を設定して、圧縮音声のステレオ音声データに変換する（ステップＳ０４）。
【０１４４】
一方、主音声を主副の両方の音声には設定しないと判定された場合には（ステップＳ０３のＮＯ）、副音声を主副の両方の音声に設定すると判定され、副音声により主音声を設定して、圧縮音声のステレオ音声データに変換する（ステップＳ０５）。
但し、このステップＳ０５では、２重音声の主音声、副音声の両方を用いて、ステレオ音声とするようにしても良い。
【０１４５】
次に、入力された２重音声の圧縮音声データのオリジナル音声データからなるＡＶストリームを、変換された圧縮音声データからなるＡＶストリームに入れ替える（ステップＳ０６）。
ステップＳ０６で、変換された圧縮音声データからなるＡＶストリームに入れ替えたＡＶストリームを入力として、該ＡＶストリーム中のＲＤＩヘッダをＮＶヘッダに変換して、ビデオ規格準拠のＡＶストリームに変換する（ステップＳ０７）。
【０１４６】
更に、２重音声をステレオ音声の音声ストリームに変換した旨を示すように、画像や音声の属性情報などのタイトル情報を含む管理情報を生成して（ステップＳ０８）、最後に、ステップＳ０７で作成されたビデオ規格準拠のＡＶストリームとステップＳ０８で生成された管理情報とをデータ記録媒体に記録する（ステップＳ０９）。
【０１４７】
本発明に係るデータ変換方法においては、前述のデータ変換装置２０において説明したように、入出力ＡＶストリームのフォーマットに関しては、如何なるフォーマットであっても良い。例えば、入出力フォーマットをＭＰＥＧ−ＴＳフォーマットとしてデータ変換しても、バッファモデルの破綻を起こさず、全く問題なく変換することが可能である。
なお、図２に示すデータ変換装置２０において適用される図６の本データ変換方法は、図５に示したデータ変換方法と異なり、ＡＶストリーム中にステレオ音声と２重音声とが混在した音声ストリームが存在しているような場合であっても適用可能なデータ変換方法である。
【０１４８】
次に、図１，図２に示すデータ変換装置１０，２０の圧縮音声データ変換部１１４，２１４における、より具体的な音声ストリームの変換例について、ＭＰＥＧ  Ｌａｙｅｒ２の場合を例に取って、主音声により副音声をコピーし、同一のＭＰＥＧ圧縮音声を両チャンネルに設定して、ステレオ音声の圧縮音声データに変換する場合について説明する。
【０１４９】
ＭＰＥＧ  Ｌａｙｅｒ２の圧縮音声ストリームのフレーム構成は、図３に示すように大きく分けて、ヘッダ領域７１、アロケーション領域（ａｌｌｏｃ領域）７２、スケールファクタ選択情報領域（ｓｃｆｓｉ領域）７３、スケールファクタ領域（ｓｃｆ領域）７４、サンプル領域（ｓａｍｐｌｅ領域）７５、及び、アンシラリ領域（Ａｎｃｉｌｌａｒｙ領域）７６の６つの領域から構成されている。ここに、図３は、ＭＰＥＧ２  ｌａｙｅｒ２のビットストリーム構成を示す構成図であり、ＭＰＥＧのＬａｙｅｒ２の圧縮音声ストリームのフレーム構造を示している。即ち、オーディオパック４５に収容されているオーディオデータ４５ｃは、複数のフレーム（ｎ−１）  ３２１，フレームｎ  ３２２，フレーム（ｎ＋１）  ３２３から構成されており、その各フレームは、前述した６つの領域から構成されている。
【０１５０】
ここで、各フレームを構成する６つの領域は、それぞれ、次のような情報を格納しているものである。まず、ヘッダ領域７１は、管理情報を示すヘッダ情報を格納する領域である。アロケーション領域（ａｌｌｏｃ領域）７２は、各サブバンドにどの程度の情報（精度）を割り付けるかの情報を示すアロケーション情報を格納する領域である。スケールファクタ選択情報領域（ｓｃｆｓｉ領域）７３は、各サブバンドの大きさを示すスケールファクタの選択情報を示すスケールファクタ選択情報を格納する領域である。スケールファクタ領域（ｓｃｆ領域）７４は、各サブバンドの大きさを示すスケールファクタ情報を格納する領域である。サンプル領域（ｓａｍｐｌｅ領域）７５は、各サブバンドのサンプル情報を格納する領域である。アンシラリ領域（Ａｎｃｉｌｌａｒｙ領域）７６は、付加的な情報であり、無くても構わないアンシラリ情報を格納する領域である。
【０１５１】
ＭＰＥＧ  Ｌａｙｅｒ２の圧縮音声データに関する一般的なデータ変換処理としては、次のような処理が必要である。即ち、ヘッダ領域７１には、どのような音声（ステレオ、モノ、２重音声など）が記録されているかを示す２ビットのモード領域があり、２重音声からステレオ音声に変換するためには、まず、該モード領域を‘１０’ｂから‘０１’ｂに入れ替えて、ステレオ音声である旨を設定する必要がある。更に、ヘッダ領域７１、アロケーション領域７２、スケールファクタ選択情報領域７３、スケールファクタ領域７４、サンプル領域７５の各領域について、いずれか一方の音声例えば主音声の各領域に設定されている情報を副音声の各領域にそれぞれコピーして、書き換えを行なう必要がある。最後に、ヘッダ領域７１のＰｒｏｔｅｃｔｉｏｎ＿ｂｉｔが立っていれば、書き換えた後のＣＲＣチェックデータを計算し、ヘッダ領域のＣＲＣチェックデータと入れ替えることが必要である。
【０１５２】
しかしながら、前述のような単純な変換処理のみでは、１フレーム当たりのデータ量が増加して、
１）ＶＯＢＵ毎の単純な入れ替えができなくなる場合があること、
２）ビットレートが異なってしまう場合があること、
３）ＳＣＲ、ＰＴＳが異なってしまい、オーディオバッファがあふれてしまう場合があること、
など、種々の問題が起こってしまう。
【０１５３】
かくのごとき問題が生じないようにするためには、フレーム毎に入力される変換前の圧縮音声データ量と変換された後の圧縮音声データ量とが一致することが望ましい。しかし、変換前と変換後の両者の圧縮音声データ量を一致させることは、一般的に困難である。本発明においては、変換後の圧縮音声データ量を、必ず、入力される変換前の圧縮音声データ量以下になるようなデータ変換方法を採用し、変換後の圧縮音声データのフレーム内における両者のデータ量の差を示す空き領域には、パディングデータを埋め込むことにより、前述の問題を解決するようにしている。
【０１５４】
以下に、本発明における圧縮音声データの変換方法の一例について、２重音声ストリームのＡＶストリームを扱う実施例１における圧縮音声データ変換部１０４におけるＭＰＥＧ音声ストリームの変換例を例に取って、図４を用いて、より具体的に説明する。ここに、図４は、本発明に係るデータ変換装置１０におけるオーディオデータの変換方法を示す模式図であり、ＭＰＥＧオーディオの圧縮音声データについてＶＲ規格準拠の圧縮音声データがデュアルモノラル即ち２重音声の音声ストリームを含むＡＶストリームであった場合に、２重音声選択部１１５により選択された選択方法として、主音声を用いて、ビデオ規格準拠のステレオ音声の圧縮音声データに変換する場合を示している。
【０１５５】
即ち、入力されたＶＲ規格のＡＶストリームからＭＰＥＧ圧縮音声データ形式のデュアルモノラル即ち２重音声の音声ストリームを抽出し、抽出された２重音声の音声ストリーム中のフレームを主音声及び副音声の２つの音声からなるモノラル音声に分解し、２重音声選択部１１５により選択された主音声を用いてステレオ音声のフレームに変換し、オリジナルの２重音声の音声ストリームの代わりに、変換されたステレオ音声ストリームに入れ替える方法を具体的に示している。
【０１５６】
図４に示すように、ＶＲ規格のＡＶストリーム３０に含まれている音声ストリームのＡ１パケット３２、Ａ２パケット３３が、デュアルモノラル即ち２重音声の音声ストリームであると圧縮音声データ抽出部１１３で識別され、かつ、抽出されて、圧縮音声データ変換部１１４に入力される。圧縮音声データ変換部１１４では、音声ストリームのＡ１パケット３２に含まれているデュアルモノラル即ち２重音声のフレーム（ｎ−１）  ３２１、フレームｎ  ３２２、フレーム（ｎ＋１）  ３２３やＡ２パケット３３に含まれているデュアルモノラル即ち２重音声のフレームは、それぞれ、圧縮音声データ形式の主音声と副音声とのうち、２重音声選択部１１５により選択された選択方法に基づいて、例えば圧縮音声データ形式の主音声の情報がそれぞれ抽出される。
【０１５７】
しかる後、それぞれの主音声の情報は副音声上にコピーされて、それぞれ、同一の圧縮音声データ形式の主音声の情報からなるステレオ音声データのフレームに変換されて、左右両チャンネルが同一圧縮音声データからなるステレオ音声に変換されたフレーム（ｎ′−１）  ３２１′、フレームｎ′  ３２２′、フレーム（ｎ′＋１）  ３２３′からなるＡ１′パケット３２′や、同一圧縮音声データのステレオ音声に変換されたフレームからなるＡ２′パケット３３′として編集される。
【０１５８】
ここで、Ａ１′パケット３２′、Ａ２′パケット３３′として主音声の情報からなるステレオ音声データに変換後の圧縮音声データ量は、変換前のＡ１パケット３２、Ａ２パケット３３の圧縮音声データ量よりも、それぞれ、必ず少なくなるように変換される。更に、Ａ１′パケット３２′、Ａ２′パケット３３′とＡ１パケット３２、Ａ２パケット３３とのデータ量の差として得られる、Ａ１′パケット３２′、Ａ２′パケット３３′内における各フレーム中の削減領域を、補助用データが設定可能なアンシラリ領域（Ａｎｃｉｌｌａｒｙ  Ｄａｔａ：補助データ領域、例えば、フレームｎの場合、アンシラリ領域３２４）に割り付けて、パディングデータを埋め込むことにより、変換後のＡ１′パケット３２′、Ａ２′パケット３３′は変換前のＡ１パケット３２、Ａ２パケット３３とそれぞれ同一のデータ量となるように制御される。
【０１５９】
一方、圧縮音声データ入替部１１１では、圧縮音声データ抽出部１１３にて２重音声の音声ストリームであることが識別された場合、オリジナルのＶＲ規格のＡＶストリーム３０に含まれている音声ストリームのＡ１パケット３２、Ａ２パケット３３を、音声データ変換部１１４から出力されたＡ１′パケット３２′、Ａ２′パケット３３′に置換して、ＲＤＩ→ＮＶ変換部１１２に出力する。ＲＤＩ→ＮＶ変換部１１２では、圧縮音声データ入替部１１１からのＡＶストリームのＲＤＩパック３１をＮＶパック３４に変換して、ビデオ規格準拠のＡＶストリーム３０′を生成して、記録媒体記録部１２に対して出力する。
【０１６０】
以上のように変換後のデータ量を変換前のデータ量よりも常に少なくし、かつ、補助データを設定可能なアンシラリ領域を採用して、圧縮フレーム毎の単純な入れ替え処理を行なうことにより、ＭＰＥＧ圧縮音声データ形式のステレオ音声ストリームに変換することが可能であり、更に、圧縮フレーム単位の単純な入れ替え結果として、ＶＯＢＵ単位の単純な入れ替えも可能となる。更に、アンシラリ領域を確保してパディングデータを埋め込むことにより、変換前と変換後の圧縮音声ストリームのデータ量を同一にすることができ、変換後の音声ビットレートも、変換前と同一にすることができる。
【０１６１】
また、図４に示す音声データの変換例においては、Ａ１パケット３２とＡ１′パケット３２′、Ａ２パケット３３とＡ２′パケット３３′のＳＣＲ（Ｓｙｓｔｅｍ  Ｃｌｏｃｋ  Ｒｅｆｅｒｅｎｃｅ）はそれぞれ等しいので、変換する必要はない。更に、ＰＴＳ（Ｐｒｅｓｅｎｔａｔｉｏｎ  Ｔｉｍｅ  Ｓｔａｍｐ）についても、Ａ１パケット３２とＡ１′パケット３２′、Ａ２パケット３３とＡ２′パケット３３′とがそれぞれ等しいので、前述した従来例のごとく、各パケットのＰＴＳをそれぞれ同じＰＴＳに変更する必要がなくなる。このため、変換前と変換後とにおいて、オーディオバッファモデルに変更が生じることはなく、従来例のようなオーディオバッファが破綻するという課題を解決することができる。
【０１６２】
なお、図４には、ＭＰＥＧオーディオ形式の音声圧縮データの場合について示したが、本発明においては、音声圧縮形式として、Ｄｏｌｂｙ  Ｌａｂｏｒａｔｏｒｉｅｓ  Ｉｎｃ．がＤｏｌｂｙ  Ｄｉｇｉｔａｌ方式として制定したＡＣ３（Ａｕｄｉｏ  Ｃｏｄｅ  ｎｕｍｂｅｒ  ３）規格即ちＡＴＳＣ制定のＡＣ３（Ｄｉｇｉｔａｌ  Ａｕｄｉｏ  Ｃｏｍｐｒｅｓｓｉｏｎ  Ｓｔａｎｄａｒｄ）規格準拠の音声ストリームを用いることも可能である。即ち、ＡＣ３規格準拠の音声圧縮形式を用いる場合は、ＭＰＥＧオーディオ形式におけるアンシラリ領域の代わりに、ＡＣ３規格準拠のパディング領域として、パディングデータからなるスキップデータ（ｓｋｉｐ  ｄａｔａ）領域を割り付けるようにすれば良い。
【０１６３】
また、主音声の情報を、副音声上に単純にコピーして入れ替えを行なうだけでは、変換後の圧縮データ量が、変換前の圧縮データ量よりも常に減少することにはならない。本発明では、ステレオ音声の場合、右（Ｒ）及び左（Ｌ）の両チャンネルが同じ音声であるという特徴を利用することにより、音質を全く劣化させないで、データ量を変換前よりも常に圧縮することを可能としている。
【０１６４】
即ち、右（Ｒ）及び左（Ｌ）の両チャンネルを同じ音声に変換する場合において、変換後のデータ量を常に減少させるための基本的な処理方法として、例えば、ステレオ相関に基づいた音声圧縮方法を適用することができる。ここで、ステレオ相関に基づいた音声圧縮方法としては、一般的に高周波数帯域の音声を扱う際に適用される方法が用いられ、例えば、右、左のチャンネルそれぞれの音声のスケールファクタ（即ち、音量パワー）は保持するものの、音声内容そのものについては右、左のいずれかのチャンネルのみを用いて符号化するインテンシティステレオ（Ｉｎｔｅｎｓｉｔｙ  Ｓｔｅｒｅｏ）符号化方法、又は、２点直交変換により得られる右、左の両チャンネルの和信号と差信号とを利用する和差（Ｍｉｄｄｌｅ  Ｓｉｄｅ：ＭＳ）ステレオ符号化方法、又は、その組み合わせのジョイントステレオ符号化方法が良く用いられている。
【０１６５】
ここで、インテンシティステレオ符号化方法の基本的な考え方は、人間の耳が、高い周波数帯域においては、音声波形の細かな構造を識別して把握することはできず、各帯域のパワーのみを識別可能としているという点を重要視している。このため、インテンシティステレオ符号化方法を用いたステレオ音声の符号化においては、高い周波数帯域の音声波形情報については、右チャンネルと左チャンネルとで、同じ１つの音声波形情報のみを保持して共用することとし、一方、パワー情報については、右チャンネルと左チャンネルとで個別に保持して用いることにより、データ量の多い音声波形情報の削減を実現している。
【０１６６】
前述のインテンシティステレオ符号化方法に基づいてデータ変換を行なう場合の動作について、図７の動作フローチャートを用いて具体的に説明する。ここに、図７は、本発明に係るデータ変換方式の一例として、インテンシティステレオ符号化方法に基づいてデータ変換を行なう動作例を示す動作フローチャートである。
なお、図７に示すデータ変換例においては、説明を簡単にするために、デュアルモノラル音声即ち２重音声の圧縮音声データの場合であって、かつ、ＭＰＥＧ  Ｌａｙｅｒ２の圧縮音声データの１フレームについて、主音声のみを用いて、左右の両方のチャンネルに同じ音声を設定する場合について示している。
【０１６７】
まず、インテンシティステレオ音声というステレオ相関を用いて、２重音声からステレオ音声に変換することを示すために、ＭＰＥＧ  Ｌａｙｅｒ２のヘッダ領域７１のモード（ｍｏｄｅ）を‘１０’ｂから‘０１’ｂに入れ替える（ステップＳ１１）。更に、インテンシティステレオ符号化を適用して、ステレオ相関を求めるべき周波数領域を示すインテンシティステレオ領域を、ＭＰＥＧ２の規格において取り得る限界となる最大値に設定するために、ヘッダ領域７１のモード拡張（ｍｏｄｅ＿ｅｘｔｅｎｓｉｏｎ）を‘０’に設定し、インテンシティ領域の範囲をサブバンド‘４’から‘３１’までのサブバンド４以上の周波数範囲に設定する（ステップＳ１２）。
【０１６８】
更に、ステップＳ１２で設定したインテンシティステレオ符号化の対象とならない‘０〜３’のサブバンドの周波数範囲において、各サブバンドのビット割り当ての精度を示すａｌｌｏｃ領域（アロケーション領域）７２にあるａｌｌｏｃ情報は、右（Ｒ）と左（Ｌ）との両チャンネルで同じものを使うため、‘０〜３’のサブバンド範囲にある例えば主音声のａｌｌｏｃ情報を‘０〜３’のサブバンド範囲の副音声のａｌｌｏｃ情報にコピーし、右（Ｒ）と左（Ｌ）との両チャンネルで同じ情報に設定する（ステップＳ１３）。
【０１６９】
一方、ステップＳ１２で設定したインテンシティステレオ符号化の対象となる‘４〜３１’のサブバンド範囲にあるインテンシティステレオ領域については、各サブバンドのビット割り当ての精度を示すａｌｌｏｃ情報を格納するａｌｌｏｃ領域（アロケーション領域）７２を右（Ｒ）と左（Ｌ）との両チャンネルで共有するので、例えば副音声側のａｌｌｏｃ領域７２のａｌｌｏｃ情報を削除し、主音声のａｌｌｏｃ情報を副音声と主音声とで共用する。（ステップＳ１４）。
【０１７０】
次に、インテンシティステレオ領域の範囲内においては、右（Ｒ）チャンネルの音声と左（Ｌ）チャンネルの音声とでは独立のスケールファクタが設定されるため、例えば主音声のｓｃｆｓｉ領域（スケールファクタ選択情報領域）７３のスケールファクタ選択情報を副音声のスケールファクタ選択情報に設定する（ステップＳ１５）。ここで、インテンシティステレオ符号化においては、それぞれのチャンネルのｓｃｆｓｉ領域７３を共用しないので、選択されている主音声のチャンネルのｓｃｆｓｉ領域７３に設定されているスケールファクタ選択情報を、選択されていない副音声のチャンネルのｓｃｆｓｉ領域７３のスケールファクタ選択情報にコピーすることとする。
【０１７１】
その後、右（Ｒ）チャンネルの音声と左（Ｌ）チャンネルの音声とのそれぞれについて、例えば主音声帯域毎のスケールファクタを取り出して、副音声側のｓｃｆ領域（スケールファクタ領域）７４のスケールファクタに設定する（ステップＳ１６）。インテンシティステレオ符号化においては、ｓｃｆｓｉ領域と同様に、それぞれのチャンネルのｓｃｆ領域７４を共用しないので、選択されている主音声のチャンネルのｓｃｆ領域７４に設定されているスケールファクタ情報を、選択されていない副音声のチャンネルのｓｃｆ領域７４のスケールファクタ情報にコピーすることとする。
【０１７２】
次に、ステップＳ１２で設定したインテンシティステレオ符号化の対象とならない‘０〜３’のサブバンドの周波数範囲において、各サブバンドの音声波形情報を示すｓａｍｐｌｅ領域（サンプル領域）７５にあるｓａｍｐｌｅ情報は、右（Ｒ）と左（Ｌ）との両チャンネルで同じものを使うため、‘０〜３’のサブバンド範囲の例えば主音声のｓａｍｐｌｅ情報を‘０〜３’のサブバンド範囲の副音声のｓａｍｐｌｅ情報にコピーし、右（Ｒ）と左（Ｌ）との両チャンネルで同じ情報にする（ステップＳ１７）。
【０１７３】
一方、ステップＳ１２で設定したインテンシティステレオ符号化の対象となる‘４〜３１’のサブバンドの周波数範囲のｓａｍｐｌｅ領域（サンプル領域）７５については、各サブバンドの音声波形情報を示すｓａｍｐｌｅ情報を右（Ｒ）と左（Ｌ）との両チャンネルで共有するので、例えば副音声側のｓａｍｐｌｅ領域（サンプル領域）７５のｓａｍｐｌｅ情報を削除し、主音声のｓａｍｐｌｅ情報を副音声と主音声で共用する（ステップＳ１８）。
【０１７４】
即ち、インテンシティステレオ符号化方法の場合、ステップＳ１２で設定したインテンシティステレオ領域の範囲内において、音声波形情報そのものについては右と左との両チャンネルで共有することになるので、ｓａｍｐｌｅ領域７５に設定する音声波形情報を示すｓａｍｐｌｅ情報と、ａｌｌｏｃ領域７２に設定する音声波形情報の精度を示すａｌｌｏｃ情報と、を右と左との両チャンネルで共用して同一にする一方、各サブバンドの大きさを示すスケールファクタについては、右と左とのチャンネルでは共有することなく、それぞれに別個に保有するように、ｓｃｆｓｉ領域７３、ｓｃｆ領域７４それぞれに別個に設定する。
【０１７５】
以上の各変換ステップの変換処理を施して、選択されていない副音声側のチャンネルのａｌｌｏｃ領域７２とｓａｍｐｌｅ領域７５とを削除することにより、インテンシティステレオ符号化によるデータ変換後のデータ量を常に減少させることができる。
【０１７６】
その後、インテンシティステレオ領域の範囲内において、ａｌｌｏｃ領域７２、ｓａｍｐｌｅ領域７５を削除して得られた空き領域を各種補助データの設定が可能なアンシラリ領域７６として割り当てる（ステップＳ１９）。即ち、変換後のフレームのデータ量が変換前のフレームのデータ量と同一になるように、前述の各変換ステップで変換前のフレームから削減されたデータ領域の全てをアンシラリ領域として割り付けて、パディングデータを設定できるようにしている。
【０１７７】
最後に、データ変換後のフレーム内のデータに基づいて、ヘッダ領域７１にＣＲＣ（Ｃｙｃｌｉｃ  Ｒｅｄｕｎｄａｎｃｙ  Ｃｈｅｃｋ）データが存在するフラグ（ｐｒｏｔｅｃｔｉｏｎ＿ｂｉｔ）が立っていれば、ＣＲＣを再計算して、ヘッダ領域７１内の変換前のＣＲＣチェックデータ（ｃｒｃ＿ｃｈｅｃｋデータ）と入れ替える（ステップＳ２０）。
【０１７８】
以上の各変換ステップによるデータ変換処理により、２重音声の音声ストリームにおけるＭＰＥＧ  Ｌａｙｅｒ２の１フレームに関するデータ変換が完了する。図７に示す本データ変換処理例においては、２重音声のうち主音声を副音声として用いてステレオ音声化する例を示したが、逆に、副音声を主音声として用いてステレオ音声化することも可能であり、かかる場合においては、前述の各変換ステップにおいて、主音声と副音声とを読み替えることによって、実現することができる。
【０１７９】
図１，図２に示すデータ変換装置１０，２０の圧縮音声データ変換部１１４，２１４において、２重音声の圧縮音声データについて図７に示すようなインテンシティステレオ符号化によるデータ変換を行なった場合、インテンシティステレオ領域に指定した部分においては右チャンネルと左チャンネルとの両チャンネルの音声は全く同じ音声であるため、音声波形情報を右チャンネルと左チャンネルとで共用しても音質の劣化は全くない。ここで、変換後の圧縮音声データに関するデータ圧縮の観点からは、全ての周波数帯域に亙ってインテンシティステレオ符号化を適用することが望ましい。
【０１８０】
しかしながら、インテンシティステレオ符号化の或る音声圧縮アルゴリズムによっては、低周波数領域の音声に対してもインテンシティステレオ符号化を適用すると、低周波数領域の音質の劣化が知覚されしてしまうので、音声圧縮アルゴリズム上、音質を予め定めた閾値以上に維持するためにはインテンシティステレオ符号化を適用できる音声周波数の下限が自ずから決まってくる。従って、音声圧縮アルゴリズム上、インテンシティステレオ符号化を適用できる音声周波数の下限を低く取ることは、情報を余分に使うこととなるため、仕様上あるいは規格上、インテンシティステレオ符号化を適用できるインテンシティステレオの範囲を示す最大値を決める場合が多い。本実施例においても、前述の図７のフローチャートに示すごとく、例えば、ヘッダ領域７１のモード拡張子について「ｍｏｄｅ＿ｅｘｔｅｎｓｉｏｎ＝０」とし、インテンシティステレオの範囲を最大値（‘４〜３１’のサブバンド）に設定することにより、最も圧縮率を高くすることができる。
【０１８１】
次に、２点直交変換により得られる右、左の両チャンネルの和信号と差信号とを利用する和差（Ｍｉｄｄｌｅ  Ｓｉｄｅ：ＭＳ）ステレオ符号化方法について説明する。和差ステレオ符号化方法の基本的な考え方は、ステレオ音声の場合、右チャンネルと左チャンネルとの両チャンネルの音声間の相関が非常に高いことを有効に利用している。即ち、和差ステレオ符号化方法は、右チャンネルと左チャンネルとの両チャンネルの音声の音声波形が非常に類似している場合に適用されるものであり、右チャンネルと左チャンネルとの両者の差分を求めた場合の音声の音声波形の差分値は、右チャンネルと左チャンネルとのそれぞれの元の音声波形の値に比較して非常に小さくなる場合に適用される。従って、両者の音声波形間を減算した差データを変換後の圧縮音声データとして割り当てて、値が小さな差分値をデータ化することにより、変換後のデータ量を少なくすることが可能となり、変換後のデータ量を効果的に削減することができる。
【０１８２】
ここで、２重音声をステレオ音声にデータ変換を行なう場合は、右チャンネルと左チャンネルとのそれぞれの音声の音声波形は全く同じデータとなるので、選択したいずれかの音声について和差ステレオ符号化を行なった場合、右チャンネルと左チャンネルとの両者の音声の音声波形を加算した和データは、単純に、音声波形や音声スペクトルが２倍の大きさとなるだけであり、逆に、両者の音声の音声波形間を減算した差データは全て零の大きさとなっている。
【０１８３】
従って、本和差ステレオ符号化方法によるデータ変換において、前記和データを求めるためには、右チャンネル又は左チャンネルのいずれか選択したチャンネルのオリジナルの音声波形に対して、全ての周波数帯域の信号レベル（音量パワー）が２倍になるように操作すれは良く、２重音声からステレオ音声への圧縮音声データの変換を非常に簡単に行なうことができる。更に、一般的な音声圧縮方法にあっては、音声波形が全て零である場合には、非常に高い圧縮率で圧縮することが可能であるので、本データ変換の場合の前記差データについても、非常に高い圧縮率で圧縮することが可能である。
【０１８４】
この結果、２重音声をステレオ音声の圧縮音声データに変換する場合、右チャンネルと左チャンネルとの両チャンネルの音声波形が全く同じ音声波形であるので、和差ステレオ領域として、和差ステレオ符号化を全ての周波数領域について適用するようにした場合、変換後のデータ量は、変換前のデータ量に比して、（１／２）近くまで減少させることが可能となる。即ち、変換後の圧縮音声データに関するデータ圧縮の観点からは、全ての周波数帯域に亙って和差ステレオ符号化を適用することが望ましい。
【０１８５】
しかしながら、和差ステレオ符号化の或る音声圧縮アルゴリズムによっては、低周波数領域の音声に対しても和差ステレオ符号化を適用すると、低周波数領域の音質が劣化してしまうので、インテンシティステレオ符号化の場合と同様に、音声圧縮アルゴリズム上、音質を予め定めた閾値以上に維持するためには和差ステレオ符号化を適用できる音声周波数の下限が自ずから決まってくる。従って、仕様上あるいは規格上取り得る限界が決められており、インテンシティステレオ符号化の場合と同様に、音声圧縮アルゴリズム上、和差ステレオ符号化を適用できる周波数帯域を示す和差ステレオ範囲を、予め定めた音質を確保することができる限界を示す最大値に設定することにより、最も圧縮率を高くすることができる。
【０１８６】
なお、和差ステレオ符号化を用いて、２重音声をステレオ音声にデータ変換する場合、主音声、副音声のいずれか選択した音声の音声波形を、選択していない音声の音声波形に設定する代わりに、選択した音声の音声波形についての２倍の音声波形（即ち、該音声波形同士の和データ）と、零の音声波形（即ち、選択した音声の音声波形同士の差データ）とを、右チャンネルと左チャンネルとに設定するものである。
【０１８７】
更に、２重音声をステレオ音声の圧縮音声データに変換する場合において、音声圧縮アルゴリズム上、インテンシティステレオ符号化方法と和差ステレオ符号化方法とを共用して利用することができる場合は、インテンシティステレオ符号化方法と和差ステレオ符号化方法とを共に利用し、予め定めた設定値に基づいて、いずれかの符号化方法に切り替えて利用するジョイントステレオ符号化方法を適用するようにしても良い。ジョイントステレオ符号化方法を適用する場合、インテンシティステレオ符号化方法と和差ステレオ符号化方法とのそれぞれを適用する周波数帯域を示すインテンシティステレオ範囲及び／又は和差ステレオ範囲として、仕様上あるいは規格上、それぞれの符号化方法による変換結果が予め定めた音声品質を維持可能な限界となる最大値を用いることにより、データ変換後の圧縮音声データについて更に高い圧縮率を達成することができる。
【０１８８】
次に、本発明に係るデータ変換装置、データ変換方法の実施例について更に説明する。
図１又は図２に示したデータ変換装置１０及び２０の構成においては、前述したように、入出力フォーマットがＤＶＤフォーマットのＶＲ規格やビデオ規格に従う場合、ＩＳＯ／ＩＥＣ１３８１８−１規格に規定されたＭＰＥＧ規格のＭＰＥＧ−ＰＳ（Ｐｒｏｇｒａｍ  Ｓｔｒｅａｍ）フォーマット規格に準じたフォーマットとして入力され記録される。
【０１８９】
更に、圧縮音声データ変換部１１４又は２１４では、音声データがＭＰＥＧやＡＣ３などの圧縮音声データであり、かつ、ＤＶＤフォーマットのＶＲ規格に従う音声ストリームについて、ビデオ規格に従う音声ストリームに変換する場合、図９にて前述したように、オーディオパック（Ａパック）４５に存在するパケットヘッダ４５ｂに含まれているチャンネル情報（音声識別情報）を、デュアルモノラル音声即ち２重音声からステレオ音声の情報に書き換える必要がある。
【０１９０】
また、図５又は図６に示す本発明に係るデータ変換方法の動作フローチャートにおいても、前述したデータ変換装置１０，２０の場合と同様に、入出力フォーマットがＤＶＤフォーマットのＶＲ規格又はビデオ規格に従う場合は、ＩＳＯ／ＩＥＣ１３８１８−１規格に規定されたＭＰＥＧ規格のＭＰＥＧ−ＰＳ（Ｐｒｏｇｒａｍ  Ｓｔｒｅａｍ）フォーマット規格に準じたフォーマットとして入力され記録される。
【０１９１】
更に、本発明に係るデータ変換方法として、音声データがＭＰＥＧやＡＣ３などの圧縮音声データであり、かつ、ＤＶＤフォーマットのＶＲ規格に従う音声ストリームについて、ビデオ規格に従う音声ストリームに変換する場合、図９にて前述したように、オーディオパック（Ａパック）４５に存在するパケットヘッダ４５ｂに含まれているチャンネル情報（音声識別情報）を、デュアルモノラル音声即ち２重音声からステレオ音声の情報に書き換える必要がある。
【０１９２】
また、図１又は図２に示したデータ変換装置１０及び２０の構成においては、ビデオ規格に変換したＡＶストリームの出力単位を示すタイトルの情報として、当該タイトルの入力ＡＶストリームに音声ストリームが含まれていた場合、該音声ストリームがステレオ音声であることを示す管理情報を管理情報設定部１３又は２３で設定し、記録媒体記録部１２又は２２で該管理情報を記録している。
【０１９３】
ここで、出力フォーマットがＤＶＤフォーマットのビデオ規格に従う場合は、当該タイトルの入力ＡＶストリームにデュアルモノラル音声の音声ストリームが含まれていた場合、該音声ストリームが圧縮音声データ変換部１１４又は２１４で変換された圧縮音声のステレオ音声であることを管理情報に管理情報設定部１３又は２３で設定し、変換された圧縮音声のステレオ音声としてＤＶＤディスクに記録する。
【０１９４】
ＤＶＤフォーマットのＶＲ規格としてＤＶＤに記録する場合も同様に、ＡＶストリームの出力単位を示すタイトルの情報として、当該タイトルの入力ＡＶストリームに音声ストリームが含まれていた場合、該音声ストリームがデュアルモノラル音声やステレオ音声であることを管理情報設定部１３又は２３で設定し、記録媒体記録部１２又は２２で管理情報として記録する。なお、オーディオデータのアプリケーションフラグとして備えられているフラグに当該オーディオデータのチャンネルモードが固定である旨を示すように設定しても良い。また、ＤＶＤフォーマットのビデオ規格とＶＲ規格とがタイトル毎に混在してＤＶＤディスクに記録することも可能である。
【０１９５】
また、図５又は図６に示す本発明に係るデータ変換方法の動作フローチャートにおいても、前述したデータ変換装置１０，２０の場合と同様に、ビデオ規格に変換したＡＶストリームの出力単位を示すタイトルの情報として、当該タイトルの入力ＡＶストリームに音声ストリームが含まれていた場合、該音声ストリームがステレオ音声であることを図５又は図６のステップＳ０８で管理情報として設定し、ステップＳ０９でデータ記録媒体に記録する。
【０１９６】
ここで、出力フォーマットがＤＶＤフォーマットのビデオ規格に従う場合は、当該タイトルの入力ＡＶストリームにデュアルモノラル音声の音声ストリームが含まれていた場合、該音声ストリームが図５又は図６のステップＳ０３乃至Ｓ０５においてステレオ音声に変換された圧縮音声のステレオ音声であることを管理情報としてステップＳ０８で設定し、変換された圧縮音声のステレオ音声としてステップＳ０９でＤＶＤディスクに記録する。
【０１９７】
ＤＶＤフォーマットのＶＲ規格としてＤＶＤに記録する場合も同様に、ＡＶストリームの出力単位を示すタイトルの情報として、当該タイトルの入力ＡＶストリームに音声ストリームが含まれていた場合、該音声ストリームがデュアルモノラル音声やステレオ音声であることを管理情報としてステップＳ０８で設定し、ステップＳ０９でＤＶＤディスクに記録する。なお、オーディオデータのアプリケーションフラグとして備えられているフラグに当該オーディオデータのチャンネルモードが固定である旨を示すように設定しても良い。また、ＤＶＤフォーマットのビデオ規格とＶＲ規格とがタイトル毎に混在してＤＶＤディスクに記録することも可能である。
【０１９８】
また、図１又は図２に示したデータ変換装置１０又は２０の構成においては、デフォルト状態として予め設定された標準的な音声の選択・設定方法でなく、ユーザの目的や嗜好に合った音声を任意に選択・設定するようにしても良い。
【０１９９】
即ち、ユーザの目的や嗜好に合った音声の選択・設定を可能にするために、図１又は図２に示したデータ変換装置１０又は２０の構成の場合、高速ダビング法によるデータ変換時に、２重音声選択部１１５又は２１５でデフォルト状態として予め設定されている音声の標準的な選択方法を用いる代わりに、ユーザの目的や嗜好に合った音声を２重音声選択部１１５又は２１５において任意に選択して設定することも可能である。
【０２００】
また、図５又は図６に示す本発明に係るデータ変換方法の動作フローチャートにおいても、前述したデータ変換装置１０，２０の場合と同様に、デフォルト状態として予め設定された標準的な音声の選択・設定方法でなく、ユーザの目的や嗜好に合った音声を任意に選択・設定するようにしても良い。
【０２０１】
即ち、ユーザの目的や嗜好に合った音声の選択・設定を可能にするために、図５又は図６の動作フローチャートに加え、データ変換に先立って実行するステップとして、２重音声の音声ストリームが入力された場合に、どのように音声を選択するかを予め任意に設定する２重音声設定ステップを有し、デフォルト状態として予め設定されている音声の標準的な選択方法を用いる代わりに、前記２重音声設定ステップにて予め任意に選択・設定された選択方法に従って、図５又は図６の動作フローチャートのステップＳ０３乃至Ｓ０５において、入力された２重音声の音声ストリームをステレオ音声の音声ストリームに高速変換して出力することも可能である。
【０２０２】
また、図１又は図２に示すデータ変換装置１０又は２０の構成においては、２重音声選択部１１５又は２１５におけるデフォルト状態の標準的な音声の選択・設定方法として、図１や図２の２重音声選択部１１５又は２１５において前述したように、例えば、等速ダビング設定部１１５ａ又は２１５ａにおいて標準的な等速ダビングにおける音声の選択方法として予め設定されている設定値（選択方法）をそのまま用いて設定したり、あるいは、高速ダビング設定部１１５ｂ又は２１５ｂにおいて標準的な高速ダビングにおける音声の選択方法として予め設定されている設定値（選択方法）をそのまま用いて設定したりしても良い。
【０２０３】
あるいは、Ｖｉｄｅｏ記録設定部１１５ｃ又は２１５ｃにおいてＡＶ（Ａｕｄｉｏ−Ｖｉｄｅｏ）ストリームに含まれている音声ストリームが２重音声の場合にビデオ規格に変換する標準的なＡＶストリームの記録方法として主音声、副音声のいずれを記録するかに関して予め設定されている設定値（選択方法）をそのまま用いて設定したり、あるいは、再生音声設定部１１５ｄ又は２１５ｄにおいてＡＶ（Ａｕｄｉｏ−Ｖｉｄｅｏ）ストリームに含まれている音声ストリームが２重音声の場合にビデオ規格に変換する標準的なＡＶストリームの再生方法として主音声、副音声のいずれを再生するかに関して予め設定されている設定値（選択方法）をそのまま用いて設定したりしても良い。
【０２０４】
一方、ユーザがダビングを行なう際に又はダビング予約を行なう際に、予約設定部１１５ｅ又は２１５ｅにおいて、ユーザの目的や嗜好に合った音声を任意に選択して、ユーザが任意の選択方法を設定することができるようにしても良いし、以上の等速ダビング設定部１１５ａ又は２１５ａや高速ダビング設定部１１５ｂ又は２１５ｂやＶｉｄｅｏ記録設定部１１５ｃ又は２１５ｃや再生音声設定部１１５ｄ又は２１５ｄや予約設定部１１５ｅ又は２１５ｅのいずれか１つの選択・設定方法を用いたり、あるいは、場合に応じて、複数の選択・設定方法の組み合わせを用いることとしても良い。
【０２０５】
また、図５又は図６に示す本発明に係るデータ変換方法の動作フローチャートにおいても、前述したデータ変換装置１０，２０の場合と同様に、前記２重音声設定ステップにおけるデフォルト状態の標準的な音声の選択・設定方法として、図１や図２の２重音声選択部１１５又は２１５として前述した実現手段と全く同様の選択・設定方法を用いることが可能であり、例えば、標準的な等速ダビングにおける音声の選択方法として予め設定されている設定値（選択方法）をそのまま用いて設定したり、あるいは、標準的な高速ダビングにおける音声の選択方法として予め設定されている設定値（選択方法）をそのまま用いて設定したりしても良い。
【０２０６】
あるいは、ＡＶ（Ａｕｄｉｏ−Ｖｉｄｅｏ）ストリームに含まれている音声ストリームが２重音声の場合にビデオ規格に変換する標準的なＡＶストリームの記録方法として主音声、副音声のいずれを記録するかに関して予め設定されている設定値（選択方法）をそのまま用いて設定したり、あるいは、ＡＶ（Ａｕｄｉｏ−Ｖｉｄｅｏ）ストリームに含まれている音声ストリームが２重音声の場合にビデオ規格に変換する標準的なＡＶストリームの再生方法として主音声、副音声のいずれを再生するかに関して予め設定されている設定値（選択方法）をそのまま用いて設定したりしても良い。
【０２０７】
一方、ユーザがダビングを行なう際に又はダビング予約を行なう際に、ユーザの目的や嗜好に合った音声を任意に選択して、ユーザが任意の選択方法を設定することができるようにしても良いし、以上の等速ダビングや高速ダビングやＶｉｄｅｏ記録や再生音声などにおける予め設定された設定値やユーザによる音声の選択のいずれか１つの選択・設定方法を用いたり、あるいは、場合に応じて、複数の選択・設定方法の組み合わせを用いることとしても良い。
【図面の簡単な説明】
【０２０８】
【図１】本発明に係るデータ変換装置の機能構成の一例を示す機能ブロック構成図である。
【図２】本発明に係るデータ変換装置の機能構成の異なる例を示す機能ブロック構成図である。
【図３】ＭＰＥＧ２  ｌａｙｅｒ２のビットストリーム構成を示す構成図である。
【図４】本発明に係るデータ変換装置におけるオーディオデータの変換方法を示す模式図である。
【図５】本発明に係るデータ変換方法の一例を示す動作フローチャートである。
【図６】本発明に係るデータ変換方法の異なる例を示す動作フローチャートである。
【図７】本発明に係るデータ変換方式の一例として、インテンシティステレオ符号化方法に基づいてデータ変換を行なう動作例を示す動作フローチャートである。
【図８】ＤＶＤビデオ規格及びＤＶＤ  ＶＲ規格として規格化されたビデオタイトルの論理フォーマットを示す構成図である。
【図９】ＤＶＤビデオ規格及びＤＶＤ  ＶＲ規格として規格化されたオーディオパックの論理フォーマットを示す構成図である。
【図１０】既存技術におけるデータ記録装置の機能構成の一例を示す機能ブロック構成図である。
【図１１】従来のデータ記録装置におけるオーディオデータの変換方法を示す模式図である。
【符号の説明】
【０２０９】
１０，２０…データ変換装置、１１，２１…データ変換部、１２，２２…記録媒体記録部、１３，２３…管理情報設定部、３０，３０′…ＡＶストリーム、３１…ＲＤＩパック、３２…Ａ１パケット、３２′…Ａ１′パケット、３３…Ａ２パケット、３３′…Ａ２′パケット、３４…ＮＶパック、４０…ＶＴＳ（Ｖｉｄｅｏ  Ｔｉｔｌｅ  Ｓｅｔ）、４１…ＶＯＢ（Ｖｉｄｅｏ  Ｏｂｊｅｃｔ）、４２…ＶＯＢＵ（Ｖｉｄｅｏ  Ｏｂｊｅｃｔ  Ｕｎｉｔ）、４３…ＮＶパック（Ｎａｖｉｇａｔｉｏｎ  Ｐａｃｋ）、４４…Ｖパック（Ｖｉｄｅｏ  Ｐａｃｋ）、４５…Ａパック（Ａｕｄｉｏ  Ｐａｃｋ）、４５ａ…パックヘッダ、４５ｂ…パケットヘッダ、４５ｃ…オーディオデータ、４６…ＲＤＩパック（Ｒｅａｌ−Ｔｉｍｅ  Ｄａｔａ  Ｉｎｆｏｒｍａｔｉｏｎ  Ｐａｃｋ）、５０…データ記録装置、５１…データ変換部、５２…記録媒体記録部、５３…管理情報設定部、６０，６０′…ＡＶストリーム、６１…ＲＤＩパック、６２…Ａ１パケット、６２′…Ａ１′パケット、６３…Ａ２パケット、６３′…Ａ２′パケット、６４…ＮＶパック、７１…ヘッダ領域、７２…アロケーション領域（ａｌｌｏｃ領域）、７３…スケールファクタ選択情報領域（ｓｃｆｓｉ領域）、７４…スケールファクタ領域（ｓｃｆ領域）、７５…サンプル領域（ｓａｍｐｌｅ領域）、７６…アンシラリ領域（Ａｎｃｉｌｌａｒｙ領域）、１１１，２１１…圧縮音声データ入替部、１１２，２１２…ＲＤＩ→ＮＶ変換部、１１３，２１３…圧縮音声データ抽出部、１１４，２１４…圧縮音声データ変換部、１１５，２１５…２重音声選択部、１１５ａ，２１５ａ…等速ダビング設定部、１１５ｂ，２１５ｂ…高速ダビング設定部、１１５ｃ，２１５ｃ…Ｖｉｄｅｏ記録設定部、１１５ｄ，２１５ｄ…再生音声設定部、１１５ｅ，２１５ｅ…予約設定部、２１６…入力音声判定部、３２１，３２１′…パケットヘッダ、３２１，３２１′…フレーム（ｎ−１）、３２２，３２２′…フレームｎ、３２３，３２３′…フレーム（ｎ＋１）、３２４…アンシラリ領域、４５１ａ…パックスタートコード、４５１ｂ…パケットスタートコード、４５２ａ…ＳＣＲ（Ｓｙｓｔｅｍ  Ｃｌｏｃｋ  Ｒｅｆｅｒｅｎｃｅ）、４５２ｂ…ストリームＩＤ、４５３ｂ…パケット長、４５４ｂ…ＰＴＳ（Ｐｒｅｓｅｎｔａｔｉｏｎ  Ｔｉｍｅ  Ｓｔａｍｐ）、４５５ｂ…スタッフィング領域、４５６ｂ…サブストリームＩＤ、４５７ｂ…フレーム情報、４５８ｂ…データ情報、５１１…音声データ入替部、５１２…ＲＤＩ→ＮＶ変換部、５１３…音声データ抽出部、５１４…ストリーム分離部、６２１…主音声１、６２２…副音声１、６２３…主音声ｎ、６２４…副音声ｎ、６３１…主音声（ｎ＋１）、６３２…副音声（ｎ＋１）、６３３…主音声２ｎ、６３４…副音声２ｎ。
【図１】
2006121213.tif 000003
【図２】
2006121213.tif 000004
【図３】
2006121213.tif 000005
【図４】
2006121213.tif 000006
【図５】
2006121213.tif 000007
【図６】
2006121213.tif 000008
【図７】
2006121213.tif 000009
【図８】
2006121213.tif 000010
【図９】
2006121213.tif 000011
【図１０】
2006121213.tif 000012
【図１１】
2006121213.tif 000013